(57)【要約】本開示は、水耕システムの一部を形成するプランターに関し、プランターは、以下：少なくとも2つの縦長延在液体チャネルを画成する縦長ボディであって、縦長ボディに導管を連結することを可能にするよう構成された1つまたは複数のマウント用ポートを含む縦長ボディと；ボディに画成され、縦長ボディの外周上に間隔を空けて配された少なくとも3つの植物ホルダーであって、その各々が、前記少なくとも2つの縦長延在液体チャネルのうち1つと流体連絡している、少なくとも3つの植物ホルダーと；を具備する。2021529561.tif 000003
2021529561.tif 000002
【特許請求の範囲】
【請求項１】
少なくとも2つの縦長延在液体チャネルを画成する縦長ボディであって、該縦長ボディに導管を連結することを可能にするよう構成された1つまたは複数のマウント用ポートを含む、縦長ボディングと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備する、プランター。
【請求項２】
前記少なくとも2つの植物ホルダーのうちの第一植物ホルダーが、前記少なくとも2つの縦長延在液体チャネルのうちの第一の縦長延在液体チャネルと流体連絡しており；かつ
該少なくとも2つの植物ホルダーのうちの第二植物ホルダーが、該少なくとも2つの縦長延在液体チャネルのうちの第二の縦長延在液体チャネルと流体連絡しており；かつ
任意で、該少なくとも2つの植物ホルダーのうちの第三植物ホルダー、該少なくとも2つの植物ホルダーのうちの第四植物ホルダー、該少なくとも2つの植物ホルダーのうちの第五植物ホルダー、該少なくとも2つの植物ホルダーのうちの第六植物ホルダー、またはそれらの組み合わせ、
請求項1記載のプランター。
【請求項３】
縦長ボディが、前記少なくとも2つの縦長延在液体チャネルを画成するため内部で分割された縦長導管を含み；
該縦長ボディが、第一植物ホルダーと関連付けられたインレットと、該インレットの下方に設けられたアウトレットとを有する、オーバーフロー導管をさらに画成し；かつ／または
前記少なくとも2つの植物ホルダーが、該縦長ボディの互いに反対側に位置する、
請求項1〜2のいずれか一項記載のプランター。
【請求項４】
各植物ホルダーが、それに対応する液体チャネルと流体連絡しているインレット開口部およびアウトレット開口部を含み；
該インレット開口部を通って該植物ホルダーに入る液流と該アウトレット開口部を通って該植物ホルダーから出る液流とが重力によって生じるよう、該インレット開口部が該アウトレット開口部より上方に位置し；かつ
任意で、該インレット開口部の長さに少なくとも部分的に沿って延在するリッジが、該インレット開口部に近接してポジショニングされている、
請求項1〜3のいずれか一項記載のプランター。
【請求項５】
前記少なくとも2つの植物ホルダーが、縦長ボディの長さにわたって互いに反対側に交互に間隔を空けて配され、該植物ホルダーの各々が、縦長延在液体チャネルのうちの異なる1つと流体連絡している、請求項1〜4のいずれか一項記載のプランター。
【請求項６】
縦長ボディが、該縦長ボディの端部に接続用構成部を含み、
該接続用構成部が、対応するプランターの対応する接続用構成部内にフィットするよう形状決定および寸法決定され、かつ、
該接続用構成部が、
近接するプランターボディの液体チャネル同士を接続するための液体チャネル接続用構成部；または
近接するプランターボディの気体チャネル同士を接続するための気体チャネル接続用構成部
を含む、
請求項1〜5のいずれか一項記載のプランター。
【請求項７】
マウント用ポートに連結されたマウント用ブラケットであって、該マウント用ポートに係合するよう構成されたポストと、導管を固定するよう構成された1つもしくは複数の連結要素とを含む、マウント用ブラケット；および／または
縦長ボディに連結されかつこれに沿って縦長に延在している導管であって、その長さに沿って間隔を空けて配されたアウトレットを有し、かつ、該縦長ボディの一部分または該1つもしくは複数の連結要素の一部分に係合するよう構成された1つまたは複数の溝を任意で含む、導管
をさらに具備する、請求項1〜5のいずれか一項記載のプランター。
【請求項８】
植物支持体を取り付けるため各植物ホルダーと関連付けられた外部取付用構成部を含み、該取付用構成部が該植物ホルダー口部の下方に位置し、かつ、該植物支持体が、該植物ホルダー内に栽植された匍匐植物が該植物ホルダー口部から生育した時にそれを支持するようにアレンジされた匍匐植物用トレリスの形態である、請求項1〜7のいずれか一項記載のプランター。
【請求項９】
前記少なくとも2つの植物ホルダーの口部内にフィットするよう形状決定および寸法決定された栽植用インサートを含み、該栽植用インサートが、実生用トレイ、栽植用トレイ、および播種用クリップのうちいずれか1つまたは複数から選択される、請求項1〜8のいずれか一項記載のプランター。
【請求項１０】
実生用トレイが、植物ホルダーの形状に合わせて形状決定された円柱形ボディの形態であり、該植物ホルダーのインレット開口部と位置合わせされたインレット開口部を含み、該実生用トレイから実生を流し出すことなく排液するようにするための排水用スリットを提供するため区画に切り分けられた平面基部を含み、かつ任意で、インレットカバーであって、1つまたは複数のスリット、植物ホルダーのインレット開口部と位置合わせされた開口部、液体ガイド、もしくはそれらの組み合わせを具備するインレットカバーを含み；かつ／または
栽植用トレイが、該植物ホルダーの形状に合わせて形状決定された円柱形ボディの形態であり、該植物ホルダーの該インレット開口部と位置合わせされたインレット開口部を含み、該実生用トレイから実生を流し出すことなく排液するようにするための排水用スリットを提供するため区画に切り分けられた平面基部を含む、
請求項9記載のプランター。
【請求項１１】
栽植用インサートのうち特定の栽植用インサートが、
複数のフィン、少なくとも1つのフィンに連結された平面底部、該複数のフィンのうち2つのフィンの間にポジショニングされたスリット、もしくはそれらの組み合わせ；
任意で、実生用トレイ内にポジショニングされた種子ホルダー；および
任意で、平面底部と少なくとも1つのフィンの端部との間にポジショニングされたチャネル
を含む、
請求項9記載のプランター。
【請求項１２】
播種用クリップが、プランター口部を閉じるための平面ボディを有し、かつ、植物の茎に係合するよう形状決定されたスロットを有する下向きに突出したプレートを備えている、請求項9記載のプランター。
【請求項１３】
プランタータワーの側方から延在する植物ホルダーを伴って、細長の直立プランターを形成するよう互いに接続された複数のプランターであって、該複数のプランターのうち少なくとも1つのプランターが、
2つの縦長延在液体チャネルの少なくとも一部分を画成する縦長ボディと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備し；
該少なくとも3つの植物ホルダーのうちの第一植物ホルダーが、該少なくとも2つの縦長延在液体チャネルのうちの第一の縦長延在液体チャネルと流体連絡しており；
該少なくとも3つの植物ホルダーのうちの第二植物ホルダーが、該少なくとも2つの縦長延在液体チャネルのうちの第二の縦長延在液体チャネルと流体連絡しており；かつ
該少なくとも3つの植物ホルダーのうちの第三植物ホルダーが、該少なくとも2つの縦長延在液体チャネルのうちの第一または第二の縦長延在液体チャネルと流体連絡している、複数のプランター
を具備する、プランタータワー。
【請求項１４】
互いに接続された前記複数のプランターの端部に接続するよう形状決定および寸法決定された少なくとも1つの端部部材を含む、請求項13記載のプランタータワー。
【請求項１５】
前記複数のプランターの上端部に接続するための上端部部材と、該複数のプランターの下端部に接続するための下端部部材とである、2つの端部部材を含む、請求項13〜14のいずれか一項記載のプランタータワー。
【請求項１６】
上端部部材が、前記2つの縦長延在液体チャネル内まで液体を導くため、および、前記少なくとも1つの縦長延在気体チャネル内まで気体を導くため、相互接続された複数のプランターの上端部に取り付けられているインテーク用クロージャーの形態であり；かつ
第一端部と、第二端部と、複数のリッジとを具備するタイであって、該複数のリッジのうち第一の配向を有しかつ該第一端部に対応するリッジの第一セットが、該上端部部材の第一開口部に係合するよう構成され、該複数のリッジのうち該第一の配向と異なる第二の配向を有しかつ該第二端部に対応するリッジの第二セットが、該上端部部材の第二開口部に係合するよう構成された、タイが、該上端部部材に連結されるか；または
下端部部材が、前記2つの縦長延在液体チャネルから液体を導くため、および、前記少なくとも1つの縦長延在気体チャネルから気体を導くため、相互接続された複数のプランターの下端部に取り付けられているアウトレット用クロージャーの形態である、
請求項15記載のプランタータワー。
【請求項１７】
平行に間隔を空けた列として配置されたプランタータワーのアレイであって、該列が、インテーク用クロージャーを介して該プランタータワー各々の最上部に接続された最上部液体気体供給ラインを備えており、該列が、アウトレット用クロージャーを介して該プランタータワー各々の最下部に接続された最下部液体気体回収ラインをさらに備えており、該植物タワーのうち少なくとも１つが、
2つの縦長延在液体チャネルの少なくとも一部分を画成する縦長ボディと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備するプランターを含み、
該少なくとも3つの植物ホルダーのうちの第一植物ホルダーが、該少なくとも2つの縦長延在液体チャネルのうちの第一の縦長延在液体チャネルと流体連絡しており；
該少なくとも3つの植物ホルダーのうちの第二植物ホルダーが、該少なくとも2つの縦長延在液体チャネルのうちの第二の縦長延在液体チャネルと流体連絡しており；かつ
該少なくとも3つの植物ホルダーのうちの第三植物ホルダーが、該少なくとも2つの縦長延在液体チャネルのうちの第一または第二の縦長延在液体チャネルと流体連絡している、
プランタータワーのアレイと；
該液体供給ラインおよび該液体回収ラインに接続された液体循環システムと；
該気体供給ラインおよび該気体回収ラインに接続された気体循環システムと
を具備する、水耕温室。
【請求項１８】
プランターの気体アウトレットがプランターボディの外側に向けられ、該気体アウトレットが、近接するプランタータワー内の植物に向けられている、請求項17記載の水耕温室。
【請求項１９】
エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうちいずれか1つまたは複数を備えた、部分的に閉じた囲いを含む、請求項17〜18のいずれか一項記載の水耕温室。
【請求項２０】
液体循環システムに栄養素を投入するため、該液体循環システムに接続された栄養素供給用投入ポンプを備えているか、または
該液体循環システム内の液体を濾過するため、該液体循環システムに接続された濾過用設備を備えている、
請求項17〜19のいずれか一項記載の水耕温室。
【請求項２１】
少なくとも2つの縦長延在液体チャネルを画成する縦長ボディであって、該縦長ボディに導管を連結することを可能にするよう構成された1つまたは複数のマウント用ポートを含む、縦長ボディングと；
前記ボディに画成され、該縦長ボディの外周上に間隔を空けて配された少なくとも2つの植物ホルダーであって、その各々が、該少なくとも2つの縦長延在液体チャネルのうち1つと流体連絡している、少なくとも2つの植物ホルダーと
を含む、プランター。
【請求項２２】
縦長ボディが、前記少なくとも2つの縦長延在液体チャネルを画成するため内部で分割された縦長導管を含む、請求項21記載のプランター。
【請求項２３】
各植物ホルダーが、その中に植物を受けることができるホルダー口部を画成する、請求項21記載のプランター。
【請求項２４】
ホルダー口部が、平たく広がった円柱状楕円形および円柱状円形のうちいずれか1つとして形状決定されている、請求項23記載のプランター。
【請求項２５】
前記少なくとも2つの植物ホルダーが、縦長ボディの互いに反対側に位置する、請求項21記載のプランター。
【請求項２６】
前記少なくとも2つの植物ホルダーが、縦長ボディの長さにわたって互いに反対側に交互に間隔を空けて配されている、請求項21記載のプランター。
【請求項２７】
植物ホルダーの各々が、縦長延在液体チャネルのうちの異なる1つと流体連絡している、請求項21記載のプランター。
【請求項２８】
縦長ボディが、該縦長ボディの端部に接続用構成部を含む、請求項21記載のプランター。
【請求項２９】
接続用構成部が、対応するプランターの対応する接続用構成部内にフィットするよう形状決定および寸法決定されている、請求項28記載のプランター。
【請求項３０】
プランターの縦長ボディの機能的下端部が、該プランターの下方に設置される対応するプランターの縦長ボディの機能的上端部にある対応する接続用構成部内にフィットするための接続用構成部を有し、かつ、該プランターの該縦長ボディの機能的上端部が、該プランターの上方に設置される対応するプランターの縦長ボディの機能的下端部にある対応する接続用構成部内にフィットするための接続用構成部を有する、請求項29記載のプランター。
【請求項３１】
接続用構成部が、対応するプランターのスピゴット構成部およびソケット構成部内にそれぞれフィットするよう形状決定および寸法決定されたソケット構成部およびスピゴット構成部の形態である、請求項29記載のプランター。
【請求項３２】
プランターの縦長ボディの機能的下端部が、該プランターの下方に設置される対応するプランターの縦長ボディの機能的上端部にあるソケット構成部内にフィットするためのスピゴット構成部を有し、かつ、該プランターの該縦長ボディの機能的上端部が、該プランターの上方に設置される対応するプランターの縦長ボディの機能的下端部にあるスピゴット構成部を受けるためのソケット構成部を有する、請求項30記載のプランター。
【請求項３３】
プランターの縦長ボディの機能的下端部が、該プランターの下方に設置される対応するプランターの縦長ボディの機能的上端部にあるスピゴット構成部を受けるためのソケット構成部を有し、かつ、該プランターの該縦長ボディの機能的上端部が、該プランターの上方に設置される対応するプランターの縦長ボディの機能的下端部にあるソケット構成部内にフィットするためのスピゴット構成部を有する、請求項30記載のプランター。
【請求項３４】
各植物ホルダーが、それに対応する液体チャネルと流体連絡しているインレット開口部およびアウトレット開口部を含む、請求項21記載のプランター。
【請求項３５】
インレット開口部を通って植物ホルダーに入る液流とアウトレット開口部を通って該植物ホルダーから出る液流とが重力によって生じるよう、該インレット開口部が該アウトレット開口部より上方に位置する、請求項34記載のプランター。
【請求項３６】
その長さに沿って間隔を空けて配された気体アウトレットを有する、少なくとも1つの縦長延在気体チャネルを含む、請求項21記載のプランター。
【請求項３７】
気体アウトレットがプランターボディの外側に開口している、請求項36記載のプランター。
【請求項３８】
気体アウトレットがノズルの形態である、請求項37記載のプランター。
【請求項３９】
接続用構成部が、近接するプランターボディの液体チャネル同士を接続するための液体チャネル接続用構成部を含む、請求項28記載のプランター。
【請求項４０】
接続用構成部が、近接するプランターボディの気体チャネル同士を接続するための気体チャネル接続用構成部を含む、請求項28記載のプランター。
【請求項４１】
植物支持体を取り付けるため各植物ホルダーと関連付けられた外部取付用構成部を含む、請求項21記載のプランター。
【請求項４２】
前記取付用構成部が植物ホルダー口部の下方に位置する、請求項41記載のプランター。
【請求項４３】
植物支持体が、植物ホルダー内に栽植された匍匐植物が該植物ホルダー口部から生育した時にそれを支持するようにアレンジされた匍匐植物用トレリスの形態である、請求項41記載のプランター。
【請求項４４】
前記少なくとも2つの植物ホルダーの口部内にフィットするよう形状決定および寸法決定された栽植用インサートを含む、請求項21記載のプランター。
【請求項４５】
栽植用インサートが、実生用トレイ、栽植用トレイ、および播種用クリップのうちいずれか1つまたは複数から選択される、請求項44記載のプランター。
【請求項４６】
実生用トレイが、植物ホルダーの形状に合わせて形状決定された円柱形ボディの形態であり、該植物ホルダーのインレット開口部と位置合わせされたインレット開口部を含み、かつ、該実生用トレイから実生を流し出すことなく排液するようにするための排水用スリットを提供するため区画に切り分けられた平面基部を含む、請求項45記載のプランター。
【請求項４７】
栽植用トレイが、植物ホルダーの形状に合わせて形状決定された円柱形ボディの形態であり、該植物ホルダーのインレット開口部と位置合わせされたインレット開口部を含み、かつ、実生用トレイから実生を流し出すことなく排液するようにするための排水用スリットを提供するため区画に切り分けられた平面基部を含む、請求項45記載のプランター。
【請求項４８】
栽植用トレイの側壁の一部分もまた排水用スリットを含む、請求項47記載のプランター。
【請求項４９】
側壁の一部分が基部に向かってわずかにテーパーしている、請求項47記載のプランター。
【請求項５０】
播種用クリップが、プランター口部を閉じるための平面ボディを有し、かつ、植物の茎に係合するよう形状決定されたスロットを有する下向きに突出したプレートを備えている、請求項45記載のプランター。
【請求項５１】
プランタータワーの側方から延在する植物ホルダーを伴って、細長の直立プランターを形成するよう互いに接続された、請求項21〜50のいずれか一項または複数項記載の複数のプランター
を含む、プランタータワー。
【請求項５２】
植物ホルダーが、互いに接続された縦長ボディの長さにわたって互いに反対側に交互に間隔を空けて配されている、請求項51記載のプランタータワー。
【請求項５３】
互いに接続された前記複数のプランターの端部に接続するよう形状決定および寸法決定された少なくとも1つの端部部材を含む、請求項51記載のプランタータワー。
【請求項５４】
前記複数のプランターの上端部に接続するための上端部部材と、該複数のプランターの下端部に接続するための下端部部材とである、2つの端部部材を含む、請求項53記載のプランタータワー。
【請求項５５】
前記少なくとも1つの端部部材が、ソケットおよびスピゴットの様式でプランターの縦長ボディの端部上にフィットするよう形状決定されている、請求項53記載のプランタータワー。
【請求項５６】
前記少なくとも1つの端部部材が、縦長延在液体チャネルにマッチするよう位置合わせされたデュアル液体導管を含む、請求項53記載のプランタータワー。
【請求項５７】
前記少なくとも1つの端部部材が、プランターを通って延在する気体チャネルにマッチするよう位置合わせされた気体導管を含む、請求項53記載のプランタータワー。
【請求項５８】
縦長ボディの端部の、マッチしたスピゴット構成部およびソケット構成部上にフィットするよう、ソケット構成部を備えた1つの側部と、スピゴット構成部を備えた1つの側部とである、2つの側部を備えたボディを、前記少なくとも1つの端部部材が含む、請求項55記載のプランタータワー。
【請求項５９】
上端部部材が、前記2つの縦長延在液体チャネル内まで液体を導くため、および、前記少なくとも1つの縦長延在気体チャネル内まで気体を導くため、相互接続された複数のプランターの上端部に取り付けられているインテーク用クロージャーの形態である、請求項54記載のプランタータワー。
【請求項６０】
下端部部材が、前記2つの縦長延在液体チャネルから液体を導くため、および、前記少なくとも1つの縦長延在気体チャネルから気体を導くため、相互接続された複数のプランターの下端部に取り付けられているアウトレット用クロージャーの形態である、請求項54記載のプランタータワー。
【請求項６１】
前記少なくとも1つの端部部材が、溢れた液体を受けるための集水トレイを含む、請求項53記載のプランタータワー。
【請求項６２】
前記液体チャネルが、相互接続されたプランターの長さにわたって延在する、請求項56記載のプランタータワー。
【請求項６３】
各プランターが気体チャネルを含み、該気体チャネルが、相互接続されたプランターの長さにわたって延在する、請求項51記載のプランタータワー。
【請求項６４】
請求項51〜63のいずれか一項または複数項記載のプランタータワーのアレイであって、該プランタータワーが、平行に間隔を空けた列として配置され、該列が、インテーク用クロージャーを介して該プランタータワー各々の最上部に接続された最上部液体気体供給ラインを備えており、該列が、アウトレット用クロージャーを介して該プランタータワー各々の最下部に接続された最下部液体気体回収ラインをさらに備えている、プランタータワーのアレイと；
該液体供給ラインおよび該液体回収ラインに接続された液体循環システムと；
該気体供給ラインおよび該気体回収ラインに接続された気体循環システムと
を含む、水耕温室。
【請求項６５】
プランターの気体アウトレットがプランターボディの外側に向けられており、
該気体アウトレットが、植物の葉の上に充分なガス交換を有利に提供するために、近接するプランタータワー内の植物に向けられている、
請求項64記載の水耕温室。
【請求項６６】
エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうちいずれか1つまたは複数を備えた、部分的に閉じた囲いを含む、請求項64記載の水耕温室。
【請求項６７】
液体循環システムに栄養素を投入するため、該液体循環システムに接続された栄養素供給用投入ポンプを備えている、請求項64記載の水耕温室。
【請求項６８】
液体循環システム内の液体を濾過するため、該液体循環システムに接続された濾過用設備を備えている、請求項64記載の水耕温室。
【請求項６９】
本明細書において説明および例証したものと実質的に同様である、請求項21記載のプランター。
【請求項７０】
本明細書において説明および例証したものと実質的に同様である、請求項51記載のプランタータワー。
【請求項７１】
本明細書において説明および例証したものと実質的に同様である、請求項64記載の水耕温室。
【発明の詳細な説明】
【技術分野】
【０００１】
関連出願の相互参照
本出願は、参照によりその全体が本明細書に組み入れられる、2018年７月6日に提出された米国特許仮出願第62/694,760号「HYDROPONICS」の恩典を主張する。
【０００２】
技術分野
本開示は概してプランターおよび／または水耕法に関し、そして非限定的に、プランター、プランタータワー、および／または水耕温室に関するデバイス、システム、および方法に関する。
【背景技術】
【０００３】
背景
従来のプランターにはさまざまなサイズおよび形状がある。従来のプランターにおいて、プランター、および／または、プランター内で生育される1つもしくは複数の植物が、プランターに入り込んで生育しやすくなる可能性がある。植物がプランターに入り込んで生育する状況においては、植物に損傷が生じる可能性があるか；植物の収穫が煩雑になりかつ植物および／もしくはプランターを損傷させる可能性があるか；またはその両方である。追加的または代替的に、複数の植物を生育できる従来のプランターにおいて、プランターおよび／または植物は、2つまたはそれ以上の植物が互いに入り込んで生育してプランター内で互いに取り付いた状態を生じやすい可能性がある。2つまたはそれ以上の植物が互いに入り込んで生育すると、プランターからの植物の収穫が煩雑になるか；植物のうち1つまたは複数を損傷させる（例えば根系、茎などを損傷させる）可能性があるか；プランターの損傷を生じる可能性があるか；またはそれらの組み合わせが生じる可能性がある。植物がプランターにかつ／または互いに入り込んで生育する状況は、複数の植物が互いに比較的接近して生育される高密度の状況で起きる可能性があり、それは植物の生育および／または生産高（例えば収穫高）を損ねる可能性がある。
【０００４】
加えて、従来のプランターは水などの資源を効率的に使用するようには設計されていない可能性があり、それは資源の無駄および追加の費用をもたらす。例えば、従来のプランターは液体（例えば水）のための充分な排水を有していない可能性があり、それは、水がプランターから溢れて無駄を生じるという停滞のコンディションをもたらす可能性があるとともに、水が床の上に溢れた時は危険なコンディション（例えば安全上の問題）をもたらす可能性もある。別の例として、従来のプランターは、植物の生育を促すようには設計されていない可能性がある。例えば、従来のプランターは、複数の生育環境または特有の植物の要件に対して、対応していないか、適合可能でないか、かつ／または設定可能（例えばカスタム化可能）でない可能性がある。
【発明の概要】
【０００５】
概要
本開示は、プランターと、植物タワーと、温室とについて説明する；温室は、少なくとも2つの縦長延在液体チャネルを画成する縦長ボディ（longitudinal body）であって、縦長ボディに導管を連結することを可能にするよう構成された1つまたは複数のマウント用ポートを含む縦長ボディング（longitudinal boding）と；そのボディに画成され、縦長ボディの外周上に間隔を空けて配された少なくとも2つの植物ホルダーであって、その各々が、前記少なくとも2つの縦長延在液体チャネルのうち1つと流体連絡している、少なくとも2つの植物ホルダーと；を有するプランターを含む。いくつかの実施形態において、プランターは、マウント用ポートに連結されたマウント用ブラケットであって、マウント用ポートに係合するよう構成されたポストと、導管を固定するよう構成された1つまたは複数の連結要素とを含む、マウント用ブラケットを含む。追加的または代替的に、プランターは、縦長ボディに連結されかつこれに沿った縦長延在導管であって、その長さに沿って間隔を空けて配されたアウトレットを有し、かつ、縦長ボディの一部分または前記1つもしくは複数の連結要素の一部分に係合するよう構成された1つまたは複数の溝を任意で含む、導管を含んでもよい。
【０００６】
いくつかの実施形態において、縦長ボディは、第一植物ホルダーと関連付けられたインレットと、インレットの下方に設けられたアウトレットとを有する、オーバーフロー導管をさらに画成する。追加的または代替的に、各植物ホルダーは、それに対応する液体チャネルと流体連絡しているインレット開口部およびアウトレット開口部を含む；そして、インレット開口部の長さに少なくとも部分的に沿って延在するリッジが、インレット開口部に近接してポジショニングされる。
【０００７】
本開示の1つの局面において、少なくとも2つの縦長延在液体チャネルを画成する縦長ボディと；そのボディに画成され、縦長ボディの外周上に間隔を空けて配された少なくとも2つの植物ホルダーであって、その各々が、前記少なくとも2つの縦長延在液体チャネルのうち1つと流体連絡している、少なくとも2つの植物ホルダーと；を含むプランターが提供される。
【０００８】
縦長ボディは、前記少なくとも2つの縦長延在液体チャネルを画成するため内部で分割された単一の縦長導管を含んでもよい。
【０００９】
各植物ホルダーは、その中に植物を受けることができるホルダー口部を画成してもよい。具体的には、ホルダー口部は、平たく広がった円柱状楕円形または円柱状円形などとして形状決定されてもよい。
【００１０】
1つの態様において、前記少なくとも2つの植物ホルダーは、縦長ボディの互いに反対側に位置してもよい。具体的には、前記少なくとも2つの植物ホルダーは、縦長ボディの長さにわたって互いに反対側に交互に間隔を空けて配されてもよい。
【００１１】
植物ホルダーの各々は、縦長延在液体チャネルのうちの異なる1つと流体連絡していてもよい。
【００１２】
縦長ボディは、縦長ボディの端部に接続用構成部を含んでもよい。
【００１３】
接続用構成部は、対応するプランターの対応する接続用構成部内にフィットするよう形状決定および寸法決定されてもよい。
【００１４】
プランターの縦長ボディの機能的下端部は、前記プランターの下方に設置される対応するプランターの縦長ボディの機能的上端部にある対応する接続用構成部内にフィットするための接続用構成部を有してもよく、そして、プランターの縦長ボディの機能的上端部は、前記プランターの上方に設置される対応するプランターの縦長ボディの機能的下端部にある対応する接続用構成部内にフィットするための接続用構成部を有してもよい。
【００１５】
1つの態様において、接続用構成部は、対応するプランターのスピゴット構成部およびソケット構成部内にそれぞれフィットするよう形状決定および寸法決定されたソケット構成部およびスピゴット構成部の形態であってもよい。
【００１６】
プランターの縦長ボディの機能的下端部は、前記プランターの下方に設置される対応するプランターの縦長ボディの機能的上端部にあるソケット構成部内にフィットするためのスピゴット構成部を有してもよく、そして、プランターの縦長ボディの機能的上端部は、前記プランターの上方に設置される対応するプランターの縦長ボディの機能的下端部にあるスピゴット構成部を受けるためのソケット構成部を有してもよい。
【００１７】
対向する例において、プランターの縦長ボディの機能的下端部は、前記プランターの下方に設置される対応するプランターの縦長ボディの機能的上端部にあるスピゴット構成部を受けるためのソケット構成部を有してもよく、そして、プランターの縦長ボディの機能的上端部は、前記プランターの上方に設置される対応するプランターの縦長ボディの機能的下端部にあるソケット構成部内にフィットするためのスピゴット構成部を有してもよい。
【００１８】
各植物ホルダーは、それに対応する液体チャネルと流体連絡しているインレット開口部およびアウトレット開口部を含んでもよい。具体的には、インレット開口部を通って植物ホルダーに入る液流とアウトレット開口部を通って植物ホルダーから出る液流とが重力によって生じるよう、インレット開口部がアウトレット開口部より上方に位置してもよい。
【００１９】
プランターは、その長さに沿って間隔を空けて配された気体アウトレットを有する、少なくとも1つの縦長延在気体チャネルを含んでもよい。気体アウトレットはプランターボディの外側に開口してもよい。気体アウトレットはノズルの形態であってもよい。
【００２０】
接続用構成部は、近接するプランターボディ同士を接続するよう形状決定および寸法決定されてもよい。接続用構成部は、近接するプランターボディの液体チャネル同士を接続するための液体チャネル接続用構成部を含んでもよい。接続用構成部は、近接するプランターボディの気体チャネル同士を接続するための気体チャネル接続用構成部を含んでもよい。
【００２１】
プランターは、植物支持体を取り付けるため、植物ホルダー口部の近くに外部取付用構成部を含んでもよい。具体的には、取付用構成部は、植物ホルダー口部の下方に位置してもよく、そして、匍匐植物用トレリスなどさまざまな種類の植物支持体を受けてもよい。この態様において、匍匐植物用トレリスは、植物ホルダー内に栽植された匍匐植物が植物ホルダー口部から生育した時にそれを支持するようにアレンジされてもよい。
【００２２】
外部取付用構成部は、さらに、植物への照明およびそれによる植物の生育を高めるため、植物の葉の近くで照明手段を支持できてもよい。照明手段は、特定周波数の光を照射するように機能できる発光ダイオード（LED）の形態であってもよい。
【００２３】
プランターは、前記少なくとも2つの植物ホルダーの口部内にフィットするよう形状決定および寸法決定された栽植用インサートをさらに含んでもよい。
【００２４】
栽植用インサートは、実生用トレイ、栽植用トレイ、および播種用クリップなどのうちいずれか1つまたは複数から選択されてもよい。
【００２５】
実生用トレイは、植物ホルダーの形状に合わせて形状決定された円柱形ボディの形態であってもよい。実生用トレイは約43 mmの深さを有してもよい。実生用トレイは、植物ホルダーのインレット開口部と位置合わせされたインレット開口部を含んでもよい。実生用トレイは、排水用スリットを提供するため区画に切り分けられた平面基部を含んでもよい。実生用トレイから実生を流し出すことなく排液するよう、排水用スリットは幅が0.5 mm未満であってもよい。
【００２６】
栽植用トレイは、植物ホルダーの形状に合わせて形状決定された円柱形ボディの形態であってもよい。栽植用トレイは約117 mmの深さを有してもよい。栽植用トレイは、植物ホルダーのインレット開口部と位置合わせされたインレット開口部を含んでもよい。栽植用トレイは、排水用スリットを提供するため区画に切り分けられた平面基部を含んでもよい。栽植用トレイの側壁の一部分もまた排水用スリットを含んでもよい。側壁のその一部分は基部に向かってわずかにテーパーしていてもよい。実生用トレイから実生を流し出すことなく排液するよう、排水用スリットは幅が0.5 mm未満であってもよい。
【００２７】
播種用クリップは、プランター口部を閉じるための平面ボディを有してもよく、かつ、植物の茎に係合するよう形状決定されたスロットを有する下向きに突出したプレートを備えていてもよい。
【００２８】
本開示の別の局面において、細長の直立プランターを形成するよう互いに接続された上述の複数のプランターを含み、側方から植物ホルダーが延在している、プランタータワーが提供される。
【００２９】
プランタータワーは、互いに接続された8〜16個のプランターを含んでもよい。
【００３０】
プランタータワーは、互いに接続された前記複数のプランターの端部上に接続するよう形状決定および寸法決定された少なくとも1つの端部部材を含んでもよい。
【００３１】
具体的には、プランタータワーは、前記複数のプランターの上端部に接続するための上端部部材と、前記複数のプランターの下端部に接続するための下端部部材とである、2つの端部部材を含んでもよい。
【００３２】
前記少なくとも1つの端部部材は、ソケットおよびスピゴットの様式でプランターの縦長ボディの端部上にフィットするよう形状決定されてもよい。
【００３３】
前記少なくとも1つの端部部材は、縦長延在液体チャネルにマッチするよう位置合わせされたデュアル液体導管を含んでもよい。
【００３４】
前記少なくとも1つの端部部材は、プランターを通って延在する気体チャネルにマッチするよう位置合わせされた気体導管を含んでもよい。
【００３５】
前記少なくとも1つの端部部材は、縦長ボディの端部の、マッチしたスピゴット構成部およびソケット構成部上にフィットするよう、ソケット構成部を備えた1つの側部と、スピゴット構成部を備えた1つの側部とである、2つの側部を備えたボディを含んでもよい。
【００３６】
上端部部材は、前記2つの縦長延在液体チャネル内まで液体を導き、かつ、前記少なくとも1つの縦長延在気体チャネル内まで気体を導くため、相互接続された複数のプランターの上端部に取り付けられるインテーク用クロージャーの形態であってもよい。
【００３７】
下端部部材は、前記2つの縦長延在液体チャネルから液体を導き、かつ、前記少なくとも1つの縦長延在気体チャネルから気体を導くため、相互接続された複数のプランターの下端部に取り付けられるアウトレット用クロージャーの形態であってもよい。
【００３８】
前記少なくとも1つの端部部材は、溢れた液体を受けるための集水トレイを含んでもよい。
【００３９】
液体チャネルは、相互接続されたプランターの長さにわたって延在してもよい。
【００４０】
プランタータワー内の各プランターは気体チャネルを含んでもよく、気体チャネルは、相互接続されたプランターの長さにわたって延在する。
【００４１】
本開示の別の局面において、平行に間隔を空けた列として配置されたプランタータワーのアレイであって、列が、インテーク用クロージャーを介して各プランタータワーの最上部に接続された最上部液体気体供給ラインを備えており、かつ、列が、アウトレット用クロージャーを介して各プランタータワーの最下部に接続された最下部液体気体回収ラインをさらに備えている、プランタータワーのアレイと；液体供給ラインおよび液体回収ラインに接続された液体循環システムと；気体供給ラインおよび気体回収ラインに接続された気体循環システムと；を含む水耕温室が提供される。
【００４２】
上述の気体アウトレットがプランターボディの外側に向けられた1つの態様において、近接する植物の葉の上に充分なガス交換を有利に提供するため、気体アウトレットは、近接するプランタータワー内の植物に向けられてもよい。
【００４３】
本発明の温室は、エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラなどのうち、いずれか1つまたは複数を備えていてもよい、部分的に閉じた囲いを含んでいてもよい。
【００４４】
温室は、液体循環システムに栄養素を投入するため液体循環システムに接続された栄養素供給用投入ポンプを備えていてもよい。
【００４５】
温室は、液体循環システム内の液体を濾過するため液体循環システムに接続された濾過用設備をさらに備えていてもよい。
【００４６】
本開示は、生育を損ねることなく栽植密度を向上させる点で有益である。本開示はまた、資源の無駄および追加の費用をもたらす水などの資源を、効率的に使用することを可能にする点で有益である。例示的かつ非限定的な例として例証すると、オーバーフローチャネルは水を無駄にしないことを可能にすることができ；1つまたは複数のリッジは、植物ホルダー内を水でより良好に覆うことを可能にすることができ；かつ／または、マウント用ポートは、気体の効率的な配置および送達を可能にすることができる。
【００４７】
本明細書において用いるさまざまな用語は、特定の実施形態を説明することのみを目的としており、実施形態を限定することは意図されていない。例えば、本明細書において構造、コンポーネント、オペレーションなどの要素を修飾するために用いられる順序の用語（例えば、「第一の」、「第二の」、「第三の」など）は、それ自体が、別の要素に対するその要素の優先順または順序を示すわけではなく、その要素を、（順序の用語を用いなければ）同じ名前を有する別の要素から区別するにすぎない。「連結された」という用語は、接続されていること、と定義されるが、必ずしも直接的でなくてもよく、かつ、必ずしも機械的でなくてもよい：「連結された」2つのアイテムが互いと一体であってもよい。「1つの（a）」および「1つの（an）」という用語は、本開示が他のことを明示的に求めるのでない限り、1つまたは複数の、として定義される。「または（もしくは）」という用語は、別段の提示がない限り、非排他的な「または（もしくは）」を指すために用いられる。
【００４８】
本明細書において用いる「約」という用語は、例えば、述べられた値または述べられた範囲の限界の10%以内、5%以内、または1％以内といった、値または範囲におけるある程度のばらつきを許容し、かつ、述べられたとおりの値または範囲も含む。「実質的に」という用語は、当業者に理解されるように、概ね明記のとおりとして定義されるが、必ずしも全面的に明記のとおりでなくてもよい（そして、明記されるものを含む；例えば、実質的に90度は、90度を含み、実質的に平行は、平行を含む）。いずれの開示態様においても、「実質的に」という用語は、明記された内容の「［あるパーセンテージ］以内」に置き換え可能であり、そのパーセンテージには0.1、1、または5パーセントが含まれる；そして、「およそ」という用語は、明記された内容の「10パーセント以内」に置き換え可能である。「および（ならびに）／または（もしくは）」という句は、および（ならびに）、または（もしくは）、を意味する。例証すると、A、B、および／またはCには、Aのみ、Bのみ、Cのみ、AとBとの組み合わせ、AとCとの組み合わせ、BとCとの組み合わせ、または、AとBとCとの組み合わせ、が含まれる。換言すると、「および（ならびに）／または（もしくは）」は包含的は「または」としてはたらく。「AおよびBのうち少なくとも1つ」は、「A、B、または、AおよびB」と同じ意味を有する。
【００４９】
本文書全体を通して、範囲形式で表現される値は、範囲の限界として明示的に挙げられる数値を含むだけでなく、その範囲内に包含されるすべての個々の数値または部分範囲を、あたかもそれぞれの数値または部分範囲が明示的に挙げられたかのように含むよう、柔軟な様式で解釈されるべきである。例えば、「約0.1%〜約5%」または「約0.1%〜5%」という範囲は、約0.1%〜約5%のみならず、示された範囲内の個々の値（例えば1%、2%、3%、および4%）ならびに部分範囲（例えば0.1%〜0.5%、1.1%〜2.2%、3.3%〜4.4%）も含むよう解釈されるべきである。「約X〜Y」という言明は、別段の提示がない限り「約X〜約Y」と同じ意味を有する。同様に、「約X、Y、または約Z」という言明は、別段の提示がない限り「約X、約Y、または約Z」と同じ意味を有する。
【００５０】
「具備する（comprise）」（そして「具備する（comprises）」および「具備している（comprising）」など、具備する（comprise）の任意の変化形）、「有する（have）」（そして「有する（has）」および「有している（having）」など、有する（have）の任意の変化形）、ならびに「含む（include）」（そして「含む（includes）」および「含んでいる（including）」など、含む（include）の任意の変化形）という用語。結果として、1つまたは複数の要素を「具備する」、「有する」、または「含む」装置は、それら1つまたは複数の要素を持つが、それら1つまたは複数の要素のみを持つことに限定されるわけではない。同様に、1つまたは複数の段階を「具備する」、「有する」、または「含む」方法は、それら1つまたは複数の段階を持つが、それら1つまたは複数の段階のみを持つことに限定されるわけではない。
【００５１】
本発明のいずれかのシステム、方法、および製品のいずれかの態様が、説明される段階、要素、および／または特徴のいずれかからなるか、または本質的になる（それらを具備する／含む／含有する／有するのでなく）可能性がある。ゆえに、いずれの請求項においても、所与の請求項の範囲を、上述したオープンエンドの連結動詞のいずれかを用いた場合の範囲から変更するために、そのオープンエンドの連結動詞の代わりに、「〜からなる」または「本質的に〜からなる」という用語が用いられる可能性がある。加えて、「〜である（wherein）」という用語は「〜である（where）」と互換的に用いられてもよいことが理解されるであろう。
【００５２】
さらに、特定の方式で構成されるデバイスまたはシステムは、少なくともその方式で構成されるが、具体的に説明される以外の方式でもまた構成されてよい。1つの態様の1つまたは複数の特徴は、本開示またはその諸態様の性質により明示的に禁じられるのでない限り、説明または図示されていなくとも他の態様に適用されてもよい。本明細書に説明する方法において、時間的またはオペレーション上のシーケンスが明示的に挙げられている場合を除き、行為は任意の順で行われてよい。さらに、特定の行為が、たとえ順次に行われるものとして説明されていても、同時に行われてもよい。加えて、本明細書において用いられかつ別段に定義されていない語法または術語は、限定ではなく説明のみを目的としていることが理解されるべきである。セクション見出しの使用は、本文書を読むことを補助することが意図されているのであり、限定的なものとして解釈されるべきでない；セクション見出しに関係する情報は、その特定セクションの内部または外部で生じる可能性がある。
【００５３】
諸態様と関連付けられた一部の詳細は上述され、他の詳細は後述されている。本開示の他の実施形態、利点、および特徴は、図面の簡単な説明、詳細な説明、および特許請求の範囲という各セクションを含む、本出願全体を検討した後に明らかになるであろう。
【図面の簡単な説明】
【００５４】
図面
以下の図面は、限定ではなく例としての図示である。簡潔さおよび明瞭さのため、所与の構造のすべての特徴が、その構造が現れるすべての図面において必ずしもラベル付けされているわけではない。同一の参照番号が必ずしも同一の構造を示すわけではない。むしろ、同じ参照番号が、同一でない参照番号と同じように、同様の特徴または同様の機能性を備えた特徴を示すために用いられる可能性がある。
【００５５】
【図１】図1Aおよび1Bは、本開示の1つの局面に基づくプランターの三次元図である。
【図２】図2Aおよび2Bは、図1Aおよび1Bのプランターの2つの半分部分を示す。
【図３】図1Aのプランターの一部分の側面図である。
【図４】図1Aおよび1Bの組立プランターを具備するプランタータワーを示す。
【図５】図4のプランタータワーの一部分の側面図である。
【図６】図6Aおよび6Bは、プランター設備の端部部材の三次元図である。
【図７】プランターの実生用トレイを示す。
【図８】プランターの栽植用トレイを示す。
【図９】プランターの匍匐植物用トレリスを示す。
【図１０】プランター設備の播種用クリップを示す。
【図１１】本開示のさらなる局面に基づく水耕温室を示す。
【図１２】プランター装置の一部分の側面図である。
【図１３−１】プランターの例に関連する図である。
【図１３−２】プランターの例に関連する図である。
【図１３−３】プランターの例に関連する図である。
【図１４】図14A、14B、および14Cは、プランターの一部分の例の三次元図である。
【図１５】図15A、15B、および15Cは、プランターの一部分の例の三次元図である。
【図１６Ａ】プランター設備の端部部材の図である。
【図１６Ｂ】プランター設備の端部部材の図である。
【図１６Ｃ】プランター設備の端部部材の図である。
【図１６Ｄ】コネクターの三次元図である。
【図１６Ｅ】図16Aの端部部材に連結された図16Dのタイの図である。
【図１７】図17Aは、プランター設備の端部部材の上面図である。図17Bは、図17Aの端部部材の三次元図である。
【図１８】図18Aは、プランター設備の導管の前面図である。図18Bは、図18Aの導管の一部分の三次元図である。
【図１９】図19Aは、図18Aの導管用のカプラーの前面図である。図19Bは、図19Aのカプラーの三次元図である。
【図２０】図20A、20B、20C、および20Dは、栽植用トレイの例の図である。
【図２１】図13Aの組立プランターを連結する例を図示する。
【図２２】図16Aの端部部材を図13Aの組立プランターに連結する例を図示する。
【図２３】図17Aの端部部材を図13Aの組立プランターに連結する例を図示する。
【図２４】図20Aの栽植用トレイを図13Aの組立プランターに連結する例を図示する。
【図２５】図25Aおよび25Bは、図18Aの導管を図13Aの組立プランターに連結する例を図示する。
【図２６】図26Aおよび26Bは、プランターの例の斜視図である。
【図２７】図27Aおよび27Bは、図26Aおよび26Bのプランターの2つの半分部分を図示する。
【図２８】図28Aは、図26Aのプランターの一部分の側面図である。図28Bは、図28Aに示すプランターの側面図の一部分の拡大図である。
【図２９】図29Aおよび29Bは、プランターの端部部材の例の図である。
【図３０】図30Aおよび30Bは、プランターの端部部材の別の例の図である。
【図３１】図31Aおよび31Bは、プランターの栽植用トレイの例の図である。
【図３２】プランターの栽植用トレイの別の例を図示する。
【図３３】プランターのマウント用ブラケットの例を図示する。
【図３４Ａ】プランターの栽植用トレイの別の例を図示する。
【図３４Ｂ】プランターの栽植用トレイの別の例を図示する。
【図３４Ｃ】プランターの栽植用トレイの別の例を図示する。
【図３４Ｄ】プランターの栽植用トレイの別の例を図示する。
【図３４Ｅ】種子ホルダーを備えた図34Aの栽植用トレイの例を図示する。
【図３４Ｆ】種子ホルダーを備えた図34Aの栽植用トレイの例を図示する。
【図３４Ｇ】種子ホルダーを備えた図34Aの栽植用トレイの例を図示する。
【図３４Ｈ】種子ホルダーを備えた図34Aの栽植用トレイの例を図示する。
【図３５】プランターの例を図示する。
【発明を実施するための形態】
【００５６】
詳細な説明
図1Aおよび1Bに、少なくとも1つの局面に基づくプランター10を示す。プランター10は、図2Aおよび2Bに示すように、2つの半分部分12.1および12.2である縦長ボディ12を有する。プランター10は、第一端部31と、第一端部31の反対側の第二端部33とを含む。
【００５７】
図1A、1B、2A、2B、および3に示すように、縦長ボディ12は、2つの縦長延在液体チャネル14.1および14.2を画成する。例えば、第一液体チャネル14.1が第一端部31と第二端部33との間に延在し、かつ第二液体チャネル14.2が第一端部31と第二端部33との間に延在する。第一液体チャネル14.1は第二液体チャネル14.2と別個である。例証すると、縦長ボディ12は、（仕切り13によって）内部で分割されて前記少なくとも2つの縦長延在液体チャネル14.1および14.2になっている、単一の縦長導管を含んでもよい。
【００５８】
プランター10は、縦長ボディの外周上に画成された2つの植物ホルダー16、18を含む。少なくとも図2Aおよび2Bに見られるように、前記2つの植物ホルダー16、18は、植物ホルダーへの液体インレットを画成する開口部16.1、18.1と、植物ホルダーからの液体アウトレットを画成する開口部16.2、18.2とを有する。図2Aおよび2Bに示すように、植物ホルダー18の開口部18.2（例えば液体アウトレット）は、第二端部33と関連付けられた開口部を含むかまたはこれに対応してもよい。代替的に、植物ホルダー18の開口部18.2（例えば液体アウトレット）は、少なくとも図5を参照しながら示すようにポジショニングされてもよい。
【００５９】
少なくとも図1A、1B、2A、および2Bに見られるように、植物ホルダー16、18は、平たく広がった円柱状楕円形の形態であるホルダー口部を有する。
【００６０】
少なくとも図1A、1B、2A、および2Bに見られるように、前記2つの植物ホルダー16、18は、縦長ボディの互いに反対側に交互に間隔を空けて配される。例えば、植物ホルダー16が第一植物ホルダーに対応してもよく、そして植物ホルダー18が第二植物ホルダーに対応してもよい。
【００６１】
図1A、1B、2A、および2Bにおいて、縦長ボディが、ソケット構成部およびスピゴット構成部の形態である接続用構成部20、22を縦長ボディ12の端部に有することが見られる。少なくとも図4および5に見られるように、接続用構成部は、対応するプランターのスピゴット構成部およびソケット構成部内にそれぞれフィットするよう形状決定および寸法決定される。例えば、プランター10の縦長ボディ12の機能的下端部は、前記プランターの下方に設置される対応するプランター10の縦長ボディ12の機能的上端部にあるソケット構成部20内にフィットするためのスピゴット構成部22を有する。例証すると、図5に示すように、構成部20、22はインターフェース68において連結される。
【００６２】
少なくとも図2A、2B、および5に見られるように、各植物ホルダー16、18は、その対応する液体チャネル14.2および14.1の一部をそれぞれ形成する、インレット開口部16.1、18.1およびアウトレット開口部16.2、18.2をそれぞれ有する。図に見られるように、液体がインレット開口部16.1、18.1を通って植物ホルダー16、18に流入しそしてアウトレット開口部16.2、18.2を通って植物ホルダーから流出できるよう、インレット開口部16.1、18.1はアウトレット開口部16.2、18.2の上方に位置する。図3を参照すると、第一流体チャネル14.1および第二流体チャネル14.2は、第一端部31と第二端部33との間でそれぞれ流体路15.1、15.2に対応しかつ／またはこれを画成してもよい。流体路15.1は、少なくとも、第一端部31と開口部18.1との間の第一流体路35を含んでもよい。流体路15.2は、少なくとも、第一端部31と開口部16.1との間の第二流体路36、および開口部16.2と第二端部33との間の第三流体路37を含んでもよい。
【００６３】
図2Aおよび2Bに見られるように、各植物ホルダー18は、互いに接続された時に完全な植物ホルダーを画成する2つの半分部分を具備する。
【００６４】
プランター10は、縦長延在気体チャネル24をさらに含む。気体チャネル24は、その長さに沿って間隔を空けて配されたアウトレットを有する。具体的には、気体チャネル24は、プランターボディ12の外側に開口するアウトレット26を有する（図4を参照）。気体アウトレット26はノズルの形態であり、図11に示すようにプランターがアレイとして組み立てられた時に、近接するプランタータワー内の植物の葉の上に充分なガス交換が確保されるよう、それらの植物にノズルが向けられる。気体チャネルは、少なくとも図1Aおよび1Bに示すように縦長ボディ内に統合されてもよく、または、少なくとも図25Aおよび25Bを参照しながら説明するように縦長ボディに連結されてもよい。追加的または代替的に、少なくとも図26Bを参照しながら説明するように、縦長ボディは、導管（例えば気体導管、液体導管、および／または他の導管）をプランター10に連結することを可能にするよう構成された1つまたは複数のマウント用ポート（例えば破線で表された27）を含んでもよい。
【００６５】
図1Aおよび1Bに見られるように、プランターは、植物支持体を取り付けるため、植物ホルダー口部の近くに外部取付用構成部28を有する。そうした植物支持体の1例は、スピゴットおよびソケットの様式で取付用構成部28内にフィットできる対応する取付用構成部32を有する、図9に示す植物用トレリス30である。匍匐植物用トレリス30は、植物ホルダー内に栽植された匍匐植物（図示せず）が植物ホルダー口部16、18から生育した時にそれを支持するようにアレンジされる。
【００６６】
プランター10はまた、プランターアセンブリ50（例えばプランター10）に追加的な構造強度を提供できるかまたは匍匐植物がその上で生育できる構造を提供するためのワイヤ、ライン、またはケーブルを保持するため、アパーチャ34の形態である外部取付用構成部も有する。
【００６７】
各プランター10はまた、植物ホルダー16、18の口部上にフィットするよう形状決定および寸法決定された、（図7、8、10、20A〜20D、31A、31B、33、および34A〜Gに示すような）栽植用インサートも含む。栽植用インサートは、実生用トレイ、栽植用トレイ、および播種用クリップから選択される。栽植用インサートは、特有の植物への好適性に基づいて選択されてもよい。
【００６８】
図7に、植物ホルダー16、18の口部内にフィットするよう形状決定および寸法決定された実生用トレイ60を示す。実生用トレイ60は約43ミリメートル（mm）の深さを有する。実生用トレイ60は、植物ホルダーのインレット開口部16.1、18.1と位置合わせされたインレット開口部60.1を有する。実生用トレイ60は、排水用スリット60.2を提供するため区画に切り分けられた平面基部を有する。実生用トレイ60から実生を流し出すことなく排液するよう、排水用スリット60.2は幅が0.5 mm未満である。
【００６９】
図8に、植物ホルダー16、18の口部内にフィットするよう形状決定および寸法決定された栽植用トレイ70を示す。栽植用トレイ70は約117 mmの深さを有し、かつ、植物ホルダー16、18の形状に合わせて形状決定された円柱形ボディの形態である。栽植用トレイ70は、植物ホルダーのインレット開口部16.1、18.1と位置合わせされたインレット開口部70.1を有する。栽植用トレイ70は、排水用スリットを提供するため区画に切り分けられた平面基部を有する。栽植用トレイの側壁の一部分もまた排水用スリット70.2を有する。側壁のその一部分は基部に向かってわずかにテーパーしている。実生用トレイ70から実生を流し出すことなく排液するよう、排水用スリットは幅が0.5 mm未満である。トレイ70に組み込まれてもよい追加的な特徴および／または局面を、少なくとも図31Aおよび31Bを参照しながら本明細書においてさらに説明する。
【００７０】
図10に播種用クリップ80を示す。播種用クリップ80は植物ホルダー16、18の口部上にフィットするよう形状決定される。播種用クリップ80は、プランター口部を閉じるための平面ボディを有し、かつ、下向きに突出したプレート80.2と、植物の茎に係合するよう形状決定されたスロット80.3とを備えている。播種用クリップ80は、播種用クリップ8を植物ホルダー16、18の口部から取り外すため互いに向かって押し付けられてもよい指用突出部80.1をさらに含む。
【００７１】
ここまで、プランター10が1つまたは複数の特徴を有するものとして説明したが、プランター10がそうした特徴に限定されるわけではないこと、および、本開示の他の局面がプランター10に組み込まれてもよいことおよび／またはプランター10の他の特徴を代用してもよいことが理解される。例えば、プランター10が、（少なくとも図13Aを参照しながら説明するように）縦長延在チャネル124、（少なくとも図26Bを参照しながら説明するように）1つまたは複数のマウント用ポート324、またはその組み合わせを含んでもよい。追加的または代替的に、少なくとも図28Aを参照しながら説明するように、プランター10が1つまたは複数のオーバーフローチャネル333（例えばバイパスチャネル）を含んでもよい。
【００７２】
図4に、本開示のさらなる局面に基づくプランタータワー50（例えばプランターアセンブリ）を示す。この例において、プランタータワー50は、細長の直立プランターを形成するよう互いに接続された上述の2つのプランター10.1、10.2を含み、プランタータワー50の側方から植物ホルダー16、18が延在している（認識されるべき点として、いくつかの実施形態において、図11に示すようにプランタータワーは互いに接続された約8個のプランターを含む）。図は2つのプランター10.1、10.2を含むものとして示されているが、他の実施形態において、4つの植物ホルダーを有するタワー50が、第二縦長半分部分に第一縦長半分部分が連結されている単一の植物ホルダーなど、単一の植物ホルダーを画成してもよい。
【００７３】
プランタータワー50には、プランター10の縦長ボディ12の上端部または下端部上にソケットおよびスピゴットの様式でフィットするよう形状決定された、図6Aおよび6Bに示すような（図6Aおよび6Bではマウントされていない）2つの端部部材52を備えている。端部部材52に組み込まれてもよい追加的な特徴および／または局面を、少なくとも図16A〜16C、16E、17A、17B、29A、29B、30A、および30Bを参照しながら、本明細書においてさらに説明する。
【００７４】
端部部材52は、縦長延在液体チャネル14.2、14.1にマッチするよう位置合わせされたデュアル液体導管54、56を有する。端部部材52はまた、プランターを通って延在する気体チャネル24にマッチするよう位置合わせされた気体導管58もそれぞれ有する。
【００７５】
端部部材52は、プランター10の縦長ボディ12の端部上のマッチするスピゴット構成部22およびソケット構成部20上にフィットするよう、ソケット構成部52.1を備えた上側部と、スピゴット構成部52.2を備えた下側部とである、2つの側部を備えたボディをそれぞれ有する。上側部および下側部は、（図11に示すような）最上部液体気体供給ラインと最下部液体気体回収ラインとを端部部材にわたって受けるための、凹状のクレードル構成部をさらに含む。この例において、上部クレードル構成部は50 mm〜65 mmのパイプにフィットするよう寸法決定され、そして最下部クレードル構成部は110 mm〜160 mmのパイプにフィットするよう寸法決定される。
【００７６】
この例において、プランタータワー50は、前記複数のプランター10.1、10.2の上端部に接続するための上端部部材52と、前記複数のプランター10.1、10.2の下端部に接続するための下端部部材52とを含む。上端部部材52および下端部部材52は形状および寸法が同一であるが、それぞれインテーク用クロージャー52およびアウトレット用クロージャー52として機能する。
【００７７】
インテーク用クロージャー52は、前記2つの縦長延在液体チャネル14.1、14.2内に液体を導きかつ縦長延在気体チャネル24内に気体を導くように機能できる状態で、相互接続された複数のプランターの上端部に取り付けられる。
【００７８】
アウトレット用クロージャー52は、前記2つの縦長延在液体チャネル14.1、14.2から外に液体を導くように機能できる状態で、相互接続された複数のプランターの下端部に取り付けられる。
【００７９】
液体チャネル14.1、14.2および気体チャネル24は、相互接続されたプランター10の長さにわたって延在する。例えば、図5を参照すると、プランターアセンブリ50の一部分が示されている。プランターアセンブリ50は、第一端部41と、第一端部41の反対側の第二端部42とを含む。図5に示すように、液体チャネル14.1、14.2は、第一端部41と第二端部42との間でプランターアセンブリ50の長さにわたって延在する。第一液体チャネル14.1は第二液体チャネル14.2と別個である。例証すると、プランターアセンブリ50の縦長ボディは、（仕切り13によって）内部で分割されて前記少なくとも2つの縦長延在液体チャネル14.1および14.2を少なくとも部分的に画成する、単一の縦長導管を画成してもよい。
【００８０】
プランターアセンブリ50は、縦長ボディの外周上に画成された少なくとも2つの植物ホルダー（例えば16、18）を含む。例えば、プランターアセンブリは、第一植物ホルダーと、第二植物ホルダーと、第三植物ホルダーと、第四植物ホルダーとを含んでもよい。図に示すように、植物ホルダー18は第一部分と第二部分とを含む。各プランターホルダーは液体チャネルと関連付けられている。例証すると、第一および第三植物ホルダーは液体チャネル14.2に対応し、そして第二および第四植物ホルダーは液体チャネル14.1に対応する。
【００８１】
図5に示すように、第一流体チャネル14.1および第二流体チャネル14.2は、第一端部41と第二端部42との間でそれぞれ流体路43.1、43.2に対応しかつ／またはこれを画成してもよい。流体路43.1は、少なくとも、第一端部41と開口部18.1（例えば第二植物ホルダーのインレット）との間の第一流体路45、および開口部18.2（例えば第二植物ホルダーのアウトレット）と開口部18.1（例えば第四植物ホルダーのインレット）との間の第二流体路46を含んでもよい。流体路43.2は、少なくとも、第一端部41と開口部16.1（例えば第一植物ホルダーのインレット）との間の第三流体路47、開口部16.2（例えば第一植物ホルダーのアウトレット）と開口部16.1（例えば第三植物ホルダーのインレット）との間の第四流体路48、および開口部16.2（例えば第三植物ホルダーのアウトレット）と第二端部42との間の第五流体路49を含んでもよい。
【００８２】
端部部材52の下側部はまた、端部部材の外側周りに集水トレイ57も含む。端部部材52が下端部部材として用いられる時、集水トレイ57は、プランタータワー50から溢れた液体を受けるように機能できる。
【００８３】
図4に見られるように、プランタータワー50の長さにわたって互いに反対側に交互に間隔を空けて配された植物ホルダー16、18は、植物に最大の空間と日光へのアクセスとを提供できる。さらに、根が下向きに生育する際に、液体チャネル14.1、14.2に入り込む可能性があるので、プランターのすぐ下方または上方の植物から干渉されることなく根が生育できるよう最大の備えがなされる。
【００８４】
図11に、本開示のさらなる局面に基づく水耕温室100を示す。水耕温室100は上述のようなプランタータワーのアレイを含む。この図には、（例示の目的のため）1列のみのプランタータワー50.1〜50.10が示されているが、実際には、水耕温室は、平行に間隔を空けた複数のプランタータワー列を含む。本明細書においてさらに説明するように、温室100はまた、1つもしくは複数のシステム101（ならびに／または、1つもしくは複数のサブシステム）も含んでもよい。例えば、前記1つまたは複数のシステム101が、液体循環システム、気体循環システム、エアコンディショナー、高圧ファン、ダンパー、液体もしくは気体を（例えば、液体回収ラインから液体供給ラインまで、および／もしくは代替的に気体供給ラインまで）再循環させるためのコイル式冷却器、地熱式加温器／冷却器、ヒートポンプ、湿度コントローラ、赤外線コントローラ、栄養素供給システム、またはそれらの組み合わせを含むかまたはこれに対応してもよい。前記1つまたは複数のシステム101が、1つまたは複数のプランター（例えば、1つもしくは複数の植物タワー、および／または、1列もしくは複数列の植物タワー）に連結されるかまたはこれとともに機能できてもよい。
【００８５】
列は、プランタータワー50（例えば50.1〜50.10）の各々の最上部にインテーク用クロージャー52を介して接続された最上部液体気体供給ライン102を備えている。列はさらに、プランタータワー50（例えば50.1〜50.10）の各々の最下部にアウトレット用クロージャー52を介して接続された最下部液体気体回収ライン103を備えている。
【００８６】
水耕温室100は、液体供給ライン102および液体回収ライン103に接続された液体循環システム（図示せず）と、気体供給ライン102および気体回収ライン103に接続された気体循環システム（図示せず）とを含む。
【００８７】
この例において、最上部液体気体供給ライン102は直径50 mm〜65 mmのプラスチック製外部パイプを含み、そのパイプ上に列内の各プランタータワー50の上端部部材52が取り付けられる。直径50 mm〜65 mmのプラスチック製外部パイプは、液体および気体がそれを通ってプランタータワー50内にフィードされる、互いに間隔が空いたアパーチャを含む。上端部部材（インレット用クロージャー）52はコネクターを介してパイプに固定される。この例において、コネクターは、端部部材52上のコネクター用アパーチャ59に通されるケーブルタイ（図示せず）の形態である。タイの例を、少なくとも図16Dを参照しながら本明細書においてさらに説明する。
【００８８】
この例において、最下部液体気体回収ライン103は直径110 mm〜160 mmのプラスチック製外部パイプを含み、そのパイプ上に列内の各プランタータワー50（例えば50.1〜50.10）の下端部部材（アウトレット用クロージャー）52が取り付けられる。直径110 mm〜160 mmのプラスチック製外部パイプは、液体および気体がそれを通ってプランタータワー50（例えば50.1〜50.10）から受け取られる、互いに間隔が空いたアパーチャを含む。下端部部材52はコネクターを介してパイプに固定される。この例において、コネクターは、端部部材52上のコネクター用アパーチャ59に通されるケーブルタイ（図示せず）の形態である。タイの例を、少なくとも図16Dを参照しながら本明細書においてさらに説明する。
【００８９】
水耕温室は、エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうち、いずれか1つまたは複数を備えた、部分的に閉じた囲い（図示せず）を含む。
【００９０】
水耕温室は、栄養素を液体循環システムに投入するため、液体循環システムに接続された栄養素供給用投入ポンプ（図示せず）もまた備えている。
【００９１】
水耕温室は、液体循環システム内の液体を濾過するため、液体循環システムに接続された濾過用設備（図示せず）もさらに備えている。
【００９２】
図12を参照すると、プランターアセンブリ50の一部分が示されている。図12に示すように、プランターアセンブリ50のその一部分は、植物タワー50.1の一部分など、植物タワーの一部分を含んでもよい。図12のプランターアセンブリは、第一端部90と、第一端部90の反対側の第二端部92とを含む。図12に示すように、液体チャネル14.1、14.2が、第一端部90と第二端部92との間でプランターアセンブリ50の長さにわたって延在する。第一液体チャネル14.1は第二液体チャネル14.2と別個である。例証すると、図12のプランターアセンブリ50の縦長ボディは、（仕切り13によって）内部で分割されて前記少なくとも2つの縦長延在液体チャネル14.1および14.2を少なくとも部分的に画成する、単一の縦長導管を画成してもよい。
【００９３】
図12のプランターアセンブリ50は、縦長ボディの外周上に画成された少なくとも2つの植物ホルダー（例えば16、18）を含む。例えば、プランターアセンブリは、第一植物ホルダーと、第二植物ホルダーと、第三植物ホルダーと、第四植物ホルダーと、第五植物ホルダーと、第六植物ホルダーとを含んでもよい。各植物ホルダーは液体チャネルと関連付けられている。例証すると、第一、第三、および第五植物ホルダーは液体チャネル14.2に対応し、そして第二、第四、および第六植物ホルダーは液体チャネル14.1に対応する。
【００９４】
液体チャネル14.1、14.2は図12のプランターアセンブリ50の長さにわたって延在する。図12に示すように、第一流体チャネル14.1および第二流体チャネル14.2は、第一端部90と第二端部92との間でそれぞれ流体路94.1、94.2に対応しかつ／またはこれを画成してもよい。
【００９５】
特定の実施形態において、プランター50（例えばプランター10）は、少なくとも2つの縦長延在液体チャネル14.1、14.2を画成する縦長ボディを含む。プランター50はまた、そのボディに画成された少なくとも2つの植物ホルダー（例えば16、18）も含む。植物ホルダー（例えば16、18）は縦長ボディの外周上に間隔を空けて配される。前記少なくとも2つの植物ホルダー（例えば16、18）の各々は、前記少なくとも2つの縦長延在液体チャネル14.1、14.2のうち1つと流体連絡している。いくつかの実施形態において、縦長ボディは、（例えば少なくとも仕切り13によって）内部で分割されて前記少なくとも2つの縦長延在液体チャネル14.1、14.2を画成する、単一の縦長導管を含んでもよい。
【００９６】
図13A〜13Eを参照すると、プランター110の例が示されている。プランター110は、プランター、プランターアセンブリ、またはプランタータワーを含むかまたはこれに対応してもよい。例えば、プランター110が、プランター10および／またはプランターアセンブリ50（例えばプランタータワー50.1〜50.10）を含むかまたはこれに対応してもよい。例証すると、プランター10および／またはプランターアセンブリ50を参照しながら説明したような1つまたは複数の特徴がプランター110に組み込まれてもよい。
【００９７】
プランター110は縦長ボディ112を有する。プランター110は、第一端部131と、第一端部131の反対側の第二端部132とを含む。例示的かつ非限定的な例として、縦長ボディ112は、連結される複数の部分（例えば2つの半分部分）112.1および112.2を含んでもよい。第一部分112.1（例えば第一の半分部分）の図を、図14A〜14Cに関して示す。第一部分112.2（例えば第二の半分部分）の図を、図15A〜15Cに関して示す。
【００９８】
縦長ボディ112は、2つの縦長延在液体チャネル114.1および114.2を画成する。例えば、第一液体チャネル114.1が第一端部131と第二端部132との間に延在し、かつ第二液体チャネル114.2が第一端部131と第二端部132との間に延在する。例えば、第一流体チャネル114.1および第二流体チャネル114.2は、第一端部131と第二端部132との間でそれぞれ流体路115.1、115.2に対応しかつ／またはこれを画成してもよい。第一液体チャネル114.1は第二液体チャネル114.2と別個である。例証すると、縦長ボディ112は、（仕切り113によって）内部で分割されて前記少なくとも2つの縦長延在液体チャネル114.1および114.2になっている、単一の縦長導管を含んでもよい。
【００９９】
プランター110は、縦長ボディの外周上に画成された少なくとも2つの植物ホルダー116、118を含む。前記少なくとも2つの植物ホルダー116、118は、縦長ボディの互いに反対側に交互に間隔を空けて配される。前記少なくとも2つの植物ホルダー116、118は、平たく広がった円柱状楕円形の形態であるホルダー口部を有してもよい。前記2つの植物ホルダー16、18の各々は、植物ホルダーへの液体インレットを画成する、対応する開口部16.1、18.1と、植物ホルダーからの液体アウトレットを画成する、対応する開口部16.2、18.2とを有する。さらに例証すると、各植物ホルダー116、118は、その対応する液体チャネル114.2および114.1の一部をそれぞれ形成する、インレット開口部116.1、118.1およびアウトレット開口部116.2、118.2をそれぞれ有する。図に見られるように、液体がインレット開口部116.1、118.1を通って植物ホルダー116、118に流入しそしてアウトレット開口部116.2、118.2を通って植物ホルダーから流出できるよう、インレット開口部116.1、118.1はアウトレット開口部116.2、118.2の上方に位置する。図13Bにおいて同定されているように、インレット開口部116.1にリッジ117がポジショニングされてもよい。リッジ117は、液体の流れが減速されかつ／または植物ホルダー（例えば116、118）内に導かれるよう、液体の流れを妨害してもよい。いくつかの実施形態において、リッジ117はインレット開口部116.1、118.1の幅全体に延在する。他の実施形態において、リッジ117はインレット開口部116.1、118.1の幅全体に延在しなくてもよく、かつ／または複数のリッジを含んでもよい。追加的または代替的に、リッジ117は1つまたは複数の平面表面を有するか、1つまたは複数の湾曲状もしくは曲線状の表面を有するか、かつ／または、1つまたは複数のチャネルもしくは溝を有してもよい。
【０１００】
縦長ボディ112は1つまたは複数のオーバーフローチャネル119もまた含んでもよい。オーバーフローチャネル119は、対応する液体チャネル114.2および114.1の一部分をバイパスするよう構成されてもよい。オーバーフローチャネルは、植物ホルダー116、118のリムまたは口部の近くなど、植物ホルダー116、118内にポジショニングされたオーバーフローインレットを有してもよい。他の実施形態において、オーバーフローインレットが植物ホルダー116、118の中央により近いか、または植物ホルダー116、118の中央と植物ホルダー116、118のリムとの間にポジショニングされるなど、オーバーフローインレットが植物ホルダー116、118のリムまたは口部からオフセットされていてもよい。オーバーフローチャネル119は、対応する液体チャネル114.1、114.2に開口するオーバーフローアウトレットを有してもよい。
【０１０１】
図13A〜13Eに示すように、プランターは、第一植物ホルダーと、第二植物ホルダーと、第三植物ホルダーと、第四植物ホルダーと、第五植物ホルダーと、第六植物ホルダーとを含む。留意される点として、第六植物ホルダーの開口部（例えば液体アウトレット）は、第二端部132と関連付けられた開口部を含むかまたはこれに対応してもよい。
【０１０２】
縦長ボディ112は、ソケット構成部およびスピゴット構成部の形態である接続用構成部120、122を縦長ボディ112の端部に有する。接続用構成部120、122は、対応するプランターおよび／または対応する端部部材のスピゴット構成部およびソケット構成部内にそれぞれフィットするよう形状決定および寸法決定される。例えば、プランター110の縦長ボディ112の機能的下端部は、前記プランターの下方に設置される対応するプランター110の縦長ボディ112の機能的上端部にあるソケット構成部120内にフィットするためのスピゴット構成部122を有する。対応するソケット構成部120に連結されるようポジショニングされたスピゴット構成部122の例を、少なくとも図21を参照しながら説明する。
【０１０３】
プランター110は、気体チャネルと関連付けられた、縦長延在チャネル124をさらに含む。少なくとも図18A、18B、25A、および25Bを参照しながら本明細書においてさらに説明するように、気体チャネルは、その長さに沿って間隔を空けて配されたアウトレットを有する。具体的には、気体チャネルは、プランターボディ112の外側に開口するアウトレットを有する（少なくとも図25Aおよび25Bを参照）。気体アウトレットは、近接するプランタータワー内の植物の葉の上におけるガス交換を促すためそれら植物に向けられた開口部またはノズルの形態であってもよい。いくつかの実施形態において、気体チャネルを形成するため、チャネル124に／チャネル124上にカバーが連結されてもよい。他の実施形態において、気体チャネルを含む導管（例えばチューブ）がチャネル124に連結されてもよい。追加的または代替的に、カバーおよび／または導管をチャネル124に連結するかまたはチャネル124内に連結するよう構成された1つまたは複数の連結用構造（例えば溝）をチャネル124が含んでもよい。
【０１０４】
プランター110は、植物支持体を取り付けるため、植物ホルダー口部の近くに外部取付用構成部128を有する。そうした植物支持体の1例は、スピゴットおよびソケットの様式で取付用構成部128内にフィットできる対応する取付用構成部32を有する、図9に示す植物用トレリス30である。匍匐植物用トレリス30は、植物ホルダー内に栽植された匍匐植物（図示せず）が植物ホルダー口部116、118から生育した時にそれを支持するようアレンジされる。
【０１０５】
プランター110はまた、プランター110（または複数のプランター110のアセンブリ）に追加的な構造強度を提供できるかまたは匍匐植物がその上で生育できる構造を提供するためのワイヤ、ライン、またはケーブルを保持するため、アパーチャ134の形態である外部取付用構成部も有する。
【０１０６】
植物ホルダー（例えば116、118）の口部は、実生用トレイ、栽植用トレイ、播種用クリップ、または他のインサートなど、栽植用インサートを受けかつ／または支持するよう構成されてもよい。栽植用インサートは特有の植物への好適性に基づいて選択されてもよい。プランター110とともに用いるための栽植用インサートの例示的かつ非限定的な例には、実生用トレイ60、栽植用トレイ70、播種用クリップ80、図20A〜20Dのトレイ200、または図34A〜34Gのトレイ430が含まれる。追加の例示的な例には、少なくとも図31A、31B、32を参照しながら本明細書においてさらに説明するような例が含まれうる。
【０１０７】
特定の実施形態において、プランター110は、少なくとも2つの縦長延在液体チャネル114.1、114.2を画成する縦長ボディ112を含む。プランター110はまた、ボディ112において画成された少なくとも2つの植物ホルダー（例えば116、118）も含む。植物ホルダー（例えば116、118）は縦長ボディ112の外周上に間隔を空けて配される。前記少なくとも2つの植物ホルダー（例えば116、118）の各々は、前記少なくとも2つの縦長延在液体チャネル114.1、114.2のうち1つと流体連絡している。いくつかの実施形態において、縦長ボディ112は、（例えば少なくとも仕切り113によって）内部で分割されて前記少なくとも2つの縦長延在液体チャネル114.1、114.2を画成する、単一の縦長導管を含んでもよい。
【０１０８】
いくつかの実施形態において、前記少なくとも2つの植物ホルダー（例えば116、118）は、縦長ボディ112の互いに反対側に位置してもよい。例えば、前記少なくとも2つの植物ホルダー（例えば116、118）は、縦長ボディ112の長さにわたって互いに反対側に交互に間隔を空けて配されてもよい。そうしたいくつかの実施形態において、植物ホルダー（例えば116、118）の各々は、縦長延在液体チャネル114.1、114.2のうちの異なる1つと流体連絡していてもよい。追加的または代替的に、プランター110は、その長さに沿って間隔を空けて配された気体アウトレットを有する気体チャネルと関連付けられた、少なくとも1つの縦長延在チャネル124を含んでもよい。気体アウトレットはプランターボディの外側に開口してもよい。気体アウトレットはノズルの形態であってもよい。
【０１０９】
図16A〜16Cを参照すると、端部部材152（例えば上端部部材）の例が示されている。図16Aは端部部材152の上面斜視図を含み、図16Bは端部部材152の底面斜視図を含み、そして図16Cは端部部材152の底面図を含む。端部部材152は、プランター（例えば10、110）またはプランターアセンブリ（例えば50）のキャノピーとも呼ばれうる。端部部材152は、プランターの縦長ボディ（例えば12、112）の最上部上にソケットおよびスピゴットの様式でフィットするよう構成される。
【０１１０】
端部部材152は、液体チャネル14.1、14.2または液体チャネル114.1、114.2など、縦長延在液体チャネルにマッチするよう位置合わせされたデュアル液体導管154、156を有する。端部部材152はまた、気体チャネルにマッチするよう位置合わせされた気体導管158もそれぞれ有する。いくつかの実施形態において、気体導管158は、気体チャネル用のエンドキャップとして機能するキャビティとして構成されてもよい。
【０１１１】
端部部材152は、タイなどのコネクターがそれを通って挿入されてもよいコネクター用アパーチャ159を含む。コネクターの例は少なくとも図16Dを参照しながら説明され、そして、端部部材152に連結されたコネクターの例は少なくとも図16Eを参照しながら説明される。
【０１１２】
端部部材152は、液体供給ライン170（例えばパイプ）を受けるための凹状のクレードル構成部157を備えた上側部と、プランターの縦長ボディ（例えば12、112）の第一端部のマッチしたソケット構成部上にフィットするためのスピゴット構成部153を備えた下側部とである、2つの側部を備えたボディを有する。液体供給ライン170は液体供給ライン102を含むかまたはこれに対応してもよい。液体供給ライン170に連結された端部部材152の例を、図16Eを参照しながら示す。プランター（例えば110）に連結されるようポジショニングされた端部部材152の例を、少なくとも図22を参照しながら説明する。
【０１１３】
図16Dを参照すると、コネクター162の例が示されている。コネクター162は、第一端部163と、第一端部163の反対側の第二端部164とを含む。コネクター162は、コネクター162の第一側部上に、代表的なリッジ165など複数のリッジを含む。例示的かつ非限定的な例として、各リッジ165は、図に示すように楔形（例えば傾斜面）である。いくつかの実施形態において、第一側部の反対側の、コネクター162の第二側部は、リッジを有さなくてもよく、または（第一側部に関して説明したように）リッジを有してもよい。
【０１１４】
前記複数のリッジは、リッジの第一セット166とリッジの第二セット168とを含んでもよい。リッジの第一セット166のリッジ165が第一の配向を有してもよく、そしてリッジの第二セット168のリッジが第二の配向を有してもよい。特定の実施形態において、第一の配向は第二の配向と反対である。例証すると、リッジの第一セット166の各リッジは、リッジの傾斜表面が第一端部163から遠ざかってリッジのピークまで坂をなすようポジショニングされてもよく、そして、リッジの第二セット168の各リッジは、リッジの傾斜表面が第二端部164から遠ざかってリッジのピークまで坂をなすようポジショニングされてもよい。
【０１１５】
図16Eを参照すると、コネクター162を介して液体供給ライン170に連結された端部部材152の例が示されている。図に示すように、液体供給ライン170は、端部部材152の凹状のクレードル構成部157内にポジショニングされる。加えて、コネクター162の1つの端部はコネクター用アパーチャ159のうち1つを通して挿入され、そしてコネクター162の他方の端部はコネクター用アパーチャ159のうち他方を通して挿入される。図に示すように、コネクター162のリッジ165がコネクター162を端部部材152に対して固定する。
【０１１６】
図17A〜17Bを参照すると、端部部材172（例えば下端部部材）の例が示されている。図17Aは端部部材172の底面図を含み、そして図17Bは端部部材172の上面斜視図を含む。端部部材172は、プランター（例えば10、110）またはプランターアセンブリ（例えば50）の基部とも呼ばれうる。端部部材172は、プランターの縦長ボディ（例えば12、112）の最上部上にソケットおよびスピゴットの様式でフィットするよう構成される。
【０１１７】
端部部材172は、液体チャネル14.1、14.2または液体チャネル114.1、114.2など、縦長延在液体チャネルを受けるよう構成された液体導管175を有する。端部部材152は、プランターの縦長ボディ（例えば12、112）の第二端部のマッチしたスピゴット構成部上にフィットするためのソケット構成部176を備えた上側部と、液体アウトレットライン（例えばパイプ）に連結するためのコネクター178（例えばカプラー）を備えた下側部とである、2つの側部を備えたボディを有する。プランター（例えば110）に連結されるようポジショニングされた端部部材172の例を、少なくとも図23を参照しながら説明する。端部部材172は、液体導管175を介して受けられた液体がコネクター178を通って液体回収ライン103などの液体アウトレットライン（図示せず）に提供されることを可能にする、チャネル174を含む。
【０１１８】
図18Aおよび18Bを参照すると、導管180（例えば気体チャネル）の例が示されている。導管180は、気体がそれを通って提供されてもよいチャネル182を含む。図に示すように、導管180の外面の一部分は1つまたは複数の溝185を含む。溝185は、導管180がプランター、植物タワー、カプラー、エンドキャップなどに連結される（例えばしっかりと連結される）ことを可能にするよう構成されてもよい。プランターに連結された導管180の例を、少なくとも図24および25を参照しながら説明する。導管180は、その長さに沿って間隔を空けて配された、代表的なアウトレット184などのアウトレットを含む。例えば、アウトレット184は、プランターボディ（例えば12、112）の外側に開口してもよく、そして、近接する植物、プランター、または植物タワーに気体を提供するよう構成されてもよい。いくつかの実施形態において、アウトレット184はノズルを含む。
【０１１９】
図19Aおよび19Bを参照すると、導管180を気体供給ラインに連結するためのカプラー190（例えばグロメット）が示されている。カプラー190は第一端部197と第二端部198とを含む。第一端部197は導管180に連結するよう構成され、そして第二端部198は気体供給ラインに連結するよう構成される。
【０１２０】
カプラー190は、カプラー190をプラスチックチューブなどの気体供給ライン（図示せず）に連結するためのコネクター192を含む。図に示すように、コネクター192は、その上に気体供給ラインが挿入されるタブ193を含む。カプラー190は、気体供給ラインから提供される気体が導管180に提供されうるよう、第一端部197と第二端部198との間でカプラー190を通って延在するチャネル194を含む。図に示すように、カプラー190は、支持構造196と、1つまたは複数の溝195とを含む。支持構造196は、安定性を提供するよう、かつ、導管180がカプラー190内に挿入される際に導管180がその形状を維持することを確実にするよう、構成される。溝195は導管の溝185とかみ合うよう構成される。
【０１２１】
図20A〜20Dを参照すると、トレイ200の例が示されている。例えば、図20Aはトレイ200の斜視図を示し、図20Bはトレイ200の第一の側面図を示し、図20Cはトレイ200の第二の側面図を示し、そして図20Dはトレイ200の背面図を示している。
【０１２２】
トレイ200は、実生用トレイ、栽植用トレイ、播種用クリップ、またはそれらの組み合わせとして用いられるよう構成されてもよい。トレイ200は、植物ホルダー（例えば16、18、116、118）の口部内にフィットするよう形状決定および寸法決定される。トレイ200は、植物ホルダーの口部の縁部と連結されるよう構成された1つまたは複数のリム210を含む。トレイ200は平面底部206を有し、かつ、1つまたは複数の排水用スリット208を含む。排水用スリット208は、トレイ200から実生を流し出すことなく排液するよう構成される。図に示すように、トレイ200は排水孔209もまた含む。留意される点として、植物がトレイ200によって／トレイ200内で支持されながら生育する際に、植物の根が排水用スリット208、排水孔209、またはその両方を通って伸びてもよい。
【０１２３】
トレイ200はスロット204もまた含む。スロット204は植物の茎または柄に係合するよう構成されてもよい。例えば、スロット204は、植物のポジションを固定するため茎に係合してもよい。
【０１２４】
図21を参照すると、連結されたプランターの例が示されている。組み合わせられた単一のプランターを形成するため、第一プランターのスピゴット構成部122が第二プランターのソケット構成部120内に挿入されてもよい。
【０１２５】
図22を参照すると、プランターに連結された端部部材152の例が示されている。端部部材152のスピゴット構成部153がプランターのソケット構成部120内に挿入されてもよい。
【０１２６】
図23を参照すると、プランターに連結された端部部材172の例が示されている。プランターのスピゴット構成部122が端部部材172のソケット構成部176内に挿入されてもよい。
【０１２７】
図24を参照すると、プランター（例えば10、50、110）内に挿入されたトレイ（例えばトレイ200）の例が示されている。例えば、第一トレイ200は植物ホルダー116内に挿入されるよう構成され、そして第二トレイ200は植物ホルダー118内に挿入されるよう構成される。
【０１２８】
図25Aおよび25Bを参照すると、導管180を植物タワーのチャネル124に連結する例が示されている。例えば、図25Aはチャネル124に連結されている導管180を示し、そして図25Bは導管180に連結されるよう構成されたカプラー190を示している。
【０１２９】
プランター250（例えば植物タワー）はチャネル124を含む。プランター250は植物タワー50を含むかまたはこれに対応してもよい。いくつかの実施形態において、プランター250は、図11の温室100などの温室に組み込まれてもよい。プランター250は、プランターのボディに沿って縦長に延在するチャネル124を含む。導管180は第一端部252と第二端部254とを有する。導管は、第一端部252と第二端部254との間にポジショニングされたアウトレット184を含む。導管180はチャネル124内に挿入される。留意される点として、導管180の第一端部252は端部部材152の気体導管158内に挿入される。導管180の第二端部254はカプラー190の第一端部197内に挿入される。いくつかの実施形態において、1つまたは複数のコンポーネント同士を連結するために接着剤が用いられてもよい。例えば、漏れのない接続を確実にするよう、導管180の第一端部252が端部部材152の気体導管158に連結されてもよい。
【０１３０】
図26A、26B、27A、27B、28A、および28Bを参照すると、プランター310の例が示されている。例えば、図26Aおよび26Bはプランター310の斜視図を図示し、図27Aおよび27Bは図26Aおよび26Bのプランター310の2つの半分部分を図示し、図28Aは図26Aのプランター310の一部分の側面図を示し、そして図28Bは図28Aの側面図の一部分の分解図を示している。プランター310は、プランター、プランターアセンブリ、またはプランタータワーを含むかまたはこれに対応してもよい。例えば、プランター310は、プランター10、プランターアセンブリ50（例えばプランタータワー50.1〜50.10）、プランター110、および／またはプランター250（例えば植物タワー）を含むかまたはこれに対応してもよい。例証すると、プランター10、プランターアセンブリ50、プランター110、および／またはプランター250に関して説明したような1つまたは複数の特徴がプランター310に組み込まれてもよい。
【０１３１】
プランター310は縦長ボディ312を有する。プランター310は、第一端部331と、第一端部331の反対側の第二端部332とを含む。例示的かつ非限定的な例として、縦長ボディ312は、連結されるよう構成された複数の部分（例えば2つの半分部分）312.1および312.2を含んでもよい。第一部分312.1（例えば第一の半分部分）の図を、図27A、28A、および28Bに関して示す。第二部分312.2（例えば第二の半分部分）の図を、図27Bに関して示す。
【０１３２】
縦長ボディ312は、2つの縦長延在液体チャネル314.1および314.2を画成する。例えば、第一液体チャネル314.1が第一端部331と第二端部332との間に延在し、かつ第二液体チャネル314.2が第一端部331と第二端部332との間に延在する。第一流体チャネル314.1および第二流体チャネル314.2は、第一端部331と第二端部332との間でそれぞれ流体路315.1、315.2に対応しかつ／またはこれを画成してもよい。第一液体チャネル314.1は第二液体チャネル314.2と別個である。例証すると、縦長ボディ312は、（仕切り313によって）内部で分割されて前記少なくとも2つの縦長延在液体チャネル314.1および314.2になっている、単一の縦長導管を含んでもよい。
【０１３３】
プランター310は、縦長ボディの外周上に画成された、代表的な植物ホルダー316、318など少なくとも2つの植物ホルダーを含む。植物ホルダー316、318は植物ホルダー16、18、116、118を含むかまたはこれに対応してもよい。前記少なくとも2つの植物ホルダー316、318は、縦長ボディの互いに反対側に交互に間隔を空けて配される。前記少なくとも2つの植物ホルダー316、318は、平たく広がった円柱状楕円形の形態または別の形態であってもよいホルダー口部を有する。前記2つの植物ホルダー316、318の各々は、植物ホルダーへの液体インレットを画成する、対応する開口部316.1、318.1と、植物ホルダーからの液体アウトレットを画成する、対応する開口部316.2、318.2とを有する。さらに例証すると、各植物ホルダー316、318は、その対応する液体チャネル314.2および314.1の一部を形成する、対応するインレット開口部316.1、318.1および対応するアウトレット開口部316.2、318.2をそれぞれ有する。図に見られるように、液体がインレット開口部316.1、318.1を通って植物ホルダー316、318に流入しそしてアウトレット開口部316.2、318.2を通って植物ホルダーから流出できるよう、インレット開口部316.1、318.1はアウトレット開口部316.2、318.2の上方に位置する。いくつかの実施形態において、インレット開口部（例えば316.1、318.1）はリッジ335を含むかまたはこれに対応してもよい。例えば、リッジ335は仕切り313の表面337から延在（例えば突出）してもよい。リッジ335はリッジ117を含むかまたはこれに対応してもよい。液体が、表面338および／または表面337に沿って液体チャネル（例えば314.1、314.2）内を移動してもよい。液体が下向きに移動する際に、液体が下流にある次の植物ホルダー内に滝のように落ちるかまたはその他流入し、そして下流にある次の植物ホルダー内の植物または種子の湿潤カバレッジ（wetting coverage）を向上させるよう、表面337に沿ってリッジ335に向かって移動する液体は、リッジ335に遭遇して、リッジ335を超えるようにはね散らされかつ／または流される。いくつかの実施形態において、リッジ335は、液体チャネル（例えば314.1、316.1）を通る液体の流れを減少または減速させるように機能し、それにより、速く動く液体によって下流の植物にもたらされる可能性がある損傷を低減させる。いくつかの実施形態において、リッジ335はインレット開口部（例えば316.1、318.1）の幅全体にわたって延在する。他の実施形態において、リッジ335は、少なくとも図1Aおよび1Bに示すように、インレット開口部（例えば316.1、318.1）の幅の一部分にわたってのみ延在する。
【０１３４】
縦長ボディ312は1つまたは複数のオーバーフローチャネル333（例えばバイパスチャネル）もまた含んでもよい。オーバーフローチャネル333はオーバーフローチャネル119を含むかまたはこれに対応してもよい。オーバーフローチャネル333は、対応する液体チャネル314の一部分をバイパスするよう構成されてもよい。オーバーフローチャネルは、植物ホルダー316、318のリムまたは口部の近くなど、植物ホルダー316、318内にポジショニングされたオーバーフローインレット333.1を有してもよい。他の実施形態において、オーバーフローインレットが植物ホルダー316、318の中央により近いか、または植物ホルダー316、318の中央と植物ホルダー316、318のリムとの間にポジショニングされるなど、オーバーフローインレットが植物ホルダー316、318のリムまたは口部からオフセットされていてもよい。オーバーフローチャネル333は、対応する液体チャネルに開口するオーバーフローアウトレット333.2を有してもよい。
【０１３５】
少なくとも図26Bに示され（例えば同定され）ているように、プランター310は、第一植物ホルダーと、第二植物ホルダーと、第三植物ホルダーと、第四植物ホルダーと、第五植物ホルダーと、第六植物ホルダーとを含む。留意される点として、第六植物ホルダーの開口部（例えば液体アウトレット）は、第二端部332と関連付けられた開口部を含むかまたはこれに対応してもよい。
【０１３６】
縦長ボディ312は、ソケット構成部およびスピゴット構成部の形態である接続用構成部320、322を縦長ボディ312の端部に有する。接続用構成部は、上述の接続用構成部20、22、120、122を含むかまたはこれに対応してもよい。接続用構成部320、322は、対応するプランターおよび／または対応する端部部材のスピゴット構成部およびソケット構成部内にそれぞれフィットするよう形状決定および寸法決定される。例えば、プランター310の縦長ボディ312の機能的下端部は、前記プランターの下方に設置される別のプランターの縦長ボディ312の機能的上端部にあるソケット構成部320内にフィットするためのスピゴット構成部322を有する。
【０１３７】
プランター310は、縦長ボディ312に沿ってマウント用ポート324をさらに含む。図に示すように、プランター310は、プランターの同じ側部（例えば単一の側部）上に6つのマウント用ポートを含む。他の実施形態において、プランター310は6つより多いかまたは少ないマウント用ポートを有してもよい。追加的または代替的に、プランター310は、プランター310の1つより多い側部上にマウント用ポートを有してもよい。例証すると、プランター310は、図に示すように第一側部上にマウント用ポート324を有してもよく、かつ、第一側部の反対側であるプランターの第二側部上に追加のマウント用ポートを含んでもよい。いくつかの実施形態において、マウント用ポートの第一セットが垂直にアライメントされてもよい。例証すると、垂直にアライメントされたマウント用ポートの第一セットが、第一植物ホルダー、第三植物ホルダー、および第五植物ホルダーのマウント用ポートを含む。垂直にアライメントされたマウント用ポートの第二セットが、第二植物ホルダー、第四植物ホルダー、および第六植物ホルダーのマウント用ポートを含む。マウント用ポート324の各々はマウント用ブラケットを受けかつ支持するよう構成される。マウント用ブラケットの例を、少なくとも図33を参照しながら説明する。
【０１３８】
1つまたは複数の気体チャネル（例えば気体導管）をプランター310にマウントすることを可能にするため、マウント用ブラケットがマウント用ポート324に連結されてもよい。前記1つまたは複数の気体チャネルの各々が、その長さに沿って間隔を空けて配された気体アウトレットを有してもよい。ノズルなどの気体アウトレットはプランターボディの外側に開口してもよい。いくつかの実施形態において、マウント用ブラケットは、単一の気体チャネルを支持するようマウント用ポート324内にポジショニングされてもよい。例えば、マウント用ポートの第一および第二セットに連結されたマウント用ブラケットが、単一の気体チャネル（例えば単一の気体導管）を支持するようアライメントされてもよい。他の実施形態において、マウント用ポートの第一セットに連結されたマウント用ブラケットが第一気体チャネルを支持するようアライメントされてもよく、かつ、第二のマウント用ポートに連結されたマウント用ブラケットが第二気体チャネルを支持するようアライメントされてもよい。複数の気体チャネルを含む実施形態において、第一気体チャネルが第一、第三、および第五植物ホルダーに向けられたアウトレットを含んでもよく、かつ、第二気体チャネルが第二、第四、および第六植物ホルダーに向けられたアウトレットを含んでもよい。追加的または代替的に、気体チャネルが、隣接するプランターアセンブリの植物ホルダーに向けられてもよい。
【０１３９】
プランター310は、植物支持体を取り付けるため、植物ホルダー口部の近くに外部取付用構成部328を有する。そうした植物支持体の1例は、スピゴットおよびソケットの様式で取付用構成部328内にフィットできる対応する取付用構成部32を有する、図9に示す植物用トレリス30である。匍匐植物用トレリス30は、植物ホルダー内に栽植された匍匐植物（図示せず）が植物ホルダー口部316、318から生育した時にそれを支持するようアレンジされる。
【０１４０】
プランター310はまた、プランター310（または複数のプランター310のアセンブリ）に追加的な構造強度を提供できるかまたは匍匐植物がその上で生育できる構造を提供するためのワイヤ、ライン、またはケーブルを保持するため、アパーチャ334の形態である外部取付用構成部も有する。
【０１４１】
植物ホルダー（例えば316、318）の口部は、実生用トレイ、栽植用トレイ、播種用クリップ、または他のインサートなど、栽植用インサートを受けかつ／または支持するよう構成されてもよい。栽植用インサートは特有の植物への好適性に基づいて選択されてもよい。プランター310とともに用いるための栽植用インサートの例示的かつ非限定的な例には、実生用トレイ60、栽植用トレイ70、播種用クリップ80、または図20A〜20Dのトレイ200が含まれる。追加的なインサートを、少なくとも図31A、31B、32、および34A〜34Gを参照しながら本明細書においてさらに説明する。
【０１４２】
特定の実施形態において、プランター310は、少なくとも2つの縦長延在液体チャネル314.1、314.2を画成する縦長ボディ312を含む。プランター310はまた、ボディ312において画成された少なくとも2つの植物ホルダー（例えば316、318）も含む。植物ホルダー（例えば316、318）は縦長ボディ312の外周上に間隔を空けて配される。前記少なくとも2つの植物ホルダー（例えば316、318）の各々は、前記少なくとも2つの縦長延在液体チャネル314.1、314.2のうち1つと流体連絡している。いくつかの実施形態において、縦長ボディ312は、（例えば少なくとも仕切り313によって）内部で分割されて前記少なくとも2つの縦長延在液体チャネル314.1、314.2を画成する、単一の縦長導管を含んでもよい。
【０１４３】
図29Aおよび29Bを参照すると、端部部材352（例えば上端部部材）の例が示されている。図29Aは端部部材352の上面斜視図を含み、そして図29Bは端部部材352の底面斜視図を含む。端部部材352は、プランター（例えば10、110、310）またはプランターアセンブリ（例えば50）のキャノピーとも呼ばれうる。端部部材352は、プランターの縦長ボディ（例えば12、112、312）の最上部上にソケットおよびスピゴットの様式でフィットするよう構成される。
【０１４４】
端部部材352は、液体チャネル14.1、14.2、液体チャネル114.1、114.2、または液体チャネル314.1、314.2など、縦長延在液体チャネルにマッチするよう位置合わせされたデュアル液体導管354、356を有する。液体導管354、356は仕切り360によって分離されてもよい。端部部材352は、タイなどのコネクターがそれを通って挿入されてもよいコネクター用アパーチャ359を含む。コネクターの例は少なくとも図16Dを参照しながら説明され、端部部材152を参照しながら説明したものと同様の様式で端部部材352に連結されてもよい（例えば図16Eを参照）。端部部材352はまたアパーチャ358も含む。アパーチャ358は息抜き孔および／またはインレットとして構成されてもよい。
【０１４５】
端部部材352は、パイプなどの液体供給ライン（例えば102、170）を受けるための凹状のクレードル構成部257を備えた上側部と、プランターの縦長ボディ（例えば12、112、312）の第一端部のマッチしたソケット構成部上にフィットするためのスピゴット構成部353を備えた下側部とである、2つの側部を備えたボディを有する。プランター（例えば310）に連結されるようポジショニングされた端部部材352の例を、少なくとも図34を参照しながら説明する。
【０１４６】
図に示すように、スピゴット構成部353は、1つまたは複数のクリップなど1つまたは複数のカプラー355を含む。いくつかの実施形態において、プランターのマッチするソケット構成部（例えば20、120、320）は、前記1つまたは複数のカプラー355に係合するよう構成された受け部分を含む。スピゴット構成部353は複数のカプラーを有するものとして示されているが、他の実施形態においてスピゴット構成部がカプラーを含まなくてもよい。
【０１４７】
図30Aおよび30Bを参照すると、端部部材372（例えば下端部部材）の例が示されている。図30Aは端部部材372の上面斜視図を含み、そして図30Bは端部部材372の底面斜視図を含む。端部部材372は、プランター（例えば10、110、310）またはプランターアセンブリ（例えば50）の基部とも呼ばれうる。端部部材372は、プランターの縦長ボディ（例えば12、112、312）の最上部上にソケットおよびスピゴットの様式でフィットするよう構成される。
【０１４８】
端部部材372は、液体チャネル14.1、14.2、液体チャネル114.1、114.2、または液体チャネル314.1、314.2など、縦長延在液体チャネルを受けるよう構成された液体導管373、375を有する。いくつかの実施形態において、液体導管は仕切り376によって分割されてもよい。端部部材372は、プランターの縦長ボディ（例えば12、112、312）の第二端部のマッチしたスピゴット構成部上にフィットするためのソケット構成部377を備えた上側部と、アウトレットライン103などの液体アウトレットライン（例えばパイプ）に連結するためのコネクター378（例えばカプラー）および凹状のクレードル構成部379を備えた下側部とである、2つの側部を備えたボディを有する。例えば、凹状のクレードル構成部379が液体アウトレットラインの外面に連結されてもよく、そしてコネクター378が液体アウトレットラインの開口部内にフィットしてもよい。プランター（例えば310）に連結されるようポジショニングされた端部部材372の例を、少なくとも図34を参照しながら説明する。端部部材372は、液体導管373、375を介して受けられた液体がコネクター378を通って液体アウトレットライン（図示せず）に提供されることを可能にする、チャネル374を含む。
【０１４９】
図31Aおよび31Bに、植物ホルダー（例えば、16、18、116、118、316、318）の口部内にフィットするよう形状決定および寸法決定された栽植用トレイ380を示す。例えば、栽植用トレイ380は、植物ホルダーの口部の縁部に載るよう構成されたリム381を含む。栽植用トレイ380は、植物ホルダーの形状に合わせて形状決定された円柱形ボディの形態である。いくつかの実施形態において、円柱形ボディがテーパーしていてもよい。栽植用トレイ380は、そこから種子が栽植用トレイ380内に置かれてもよい開口部387を含む。栽植用トレイ380は、植物ホルダーのインレット開口部（例えば16.1、18.1、116.1、118.1、316.1、318.1）と位置合わせされるよう構成されたインレットカバー382を含む。インレットカバー382はインレットスリット383と、開口部384と、液体ガイド385とを含む。インレットカバー382は、栽植用トレイ380内に入る液体の流れを偏向および減速させるよう構成される。栽植用トレイ380は、平面基部と、排水用スリット386を含む側壁とを有する。側壁のその一部分は基部に向かってわずかにテーパーしている。
【０１５０】
図32を参照すると、トレイ390の例が示されている。トレイ390は、実生用トレイ、栽植用トレイ、播種用クリップ、またはそれらの組み合わせとして用いられるよう構成されてもよい。トレイ390は、植物ホルダー（例えば16、18、116、118、316、318）の口部内にフィットするよう形状決定および寸法決定される。トレイ390は、植物ホルダーの口部の縁部と連結されるよう構成された1つまたは複数のリム392（例えばリム部分）を含む。トレイ390は、リム392から下向きの方向に延在する複数のフィン393を含む。フィンのうち少なくとも1つは平面底部396に連結される。近接するフィン（例えば393）は、1つまたは複数の排水用スリット395によって分離される。排水用スリット395は、トレイ390から実生を流し出すことなく排液するよう構成される。排水用スリット395は、平面底部396とフィン393の端部との間にポジショニングされる1つまたは複数のチャネル開口部397内に開口する。トレイ390はスロット394もまた含む。スロット394は植物の茎または柄に係合するよう構成されてもよい。例えば、スロット394は、植物のポジションを固定するため茎に係合してもよい。留意される点として、植物がトレイ390によって／トレイ390内で支持されながら生育する際に、植物の根が排水用スリット208、チャネル開口部397、またはその両方を通って伸びてもよい。根がスリット395を下方にスライドしそしてチャネル開口部397から出て、植物の根構造に対する損傷が限定されるよう、植物は、スロット394から離れて平面底部396に向かう方向にトレイ390から取り外されてもよい。
【０１５１】
図33を参照すると、マウント用ブラケット400の例が示されている。マウント用ブラケット400は、基部402と、マウント用カプラー404（例えばポスト）と、連結用アーム406とを含む。マウント用カプラー404は、プランター310のマウント用ポート324などのマウント用ポートに連結されるよう構成される。アーム406は開口部408を画成し、かつ、気体導管（例えばパイプ）などの導管を受けかつこれに連結されるよう構成される。マウント用ブラケットは、第一側部409と、第一側部409の反対側の第二側部410とを含む。いくつかの実施形態において、マウント用ブラケット400は、第一側部409がマウント用ブラケット400の上側になるようにマウント用ポート（例えば324）に連結されてもよい。他の実施形態において、マウント用ブラケット400は、第二側部410がマウント用ブラケット400の上側になるようにマウント用ポート（例えば324）に連結されてもよい。
【０１５２】
図34A〜34Gを参照すると、トレイ430の例が示されている。例えば、図34Aはトレイ430の斜視図を示し、図34Bはトレイ430の側面図を示し、図34Cはトレイ430の前面図を示し、そして図34Dはトレイ340の上面図を示している。加えて、図34E〜34Hは種子ホルダー490を備えたトレイ430を示している。例えば、図34Eは種子ホルダー490を備えたトレイ430の斜視図を示し、図34Fは種子ホルダー490を備えたトレイ430の側面図を示し、図34Gは種子ホルダー490を備えたトレイ430の背面図を示し、そして図34Hは種子ホルダー490を備えたトレイ340の上面図を示している。
【０１５３】
トレイ430は、実生用トレイ、栽植用トレイ、播種用クリップ、またはそれらの組み合わせとして用いられるよう構成されてもよい。いくつかの実施形態において、図34E〜34Hを参照しながら説明するように、トレイ430は種子ホルダー490とともに用いられるよう構成されてもよい。トレイ430は、植物ホルダー（例えば16、18、116、118、316、318）の口部内にフィットするよう形状決定および寸法決定される。トレイ430は、植物ホルダーの口部の縁部に連結されかつ／またはこれとインターフェースするよう構成された1つまたは複数のリム432（例えばリム部分）を含む。トレイ430は、1つまたは複数のタブ431（例えば1つまたは複数のフランジ）もまた含んでもよい。例えば、トレイ430は、リム432に沿った第一ポジションにあるタブの第一セットと、リム432に沿った第二ポジションにあるタブの第二セットとを含んでもよい。前記1つまたは複数のタブ431は、植物ホルダーのマウント（mount）内へのトレイ420の設置および取り外しを可能にするよう構成されてもよい。例えば、前記1つまたは複数のタブ431は、Y字フォーク式ツールまたはトングなど、ツールに連結および／または係合するよう構成されてもよい。例証すると、トレイ430が植物ホルダー口部にしっかりと設置されかつ／または取り外されることを可能にするため、前記1つまたは複数のタブ431は、ツールがトレイ430の互いに反対側に連結されることを可能にすることができる。そうしたツールは、トレイ430に対応する植物および／または隣接するかもしくは近くにある植物の損傷が最少ないし無い状態で、トレイ430を連結および解放することを可能にするため、外向きに延在する1つまたは複数の「指（finger）」を有してもよい。これもまた留意される点として、トレイ430に届くためそしてこれを物理的に取り外すために手を用いると、（トレイ430に対応する）植物または（隣接する植物ホルダー内の）隣接する植物に不注意で損傷を引き起こす可能性があるが、トレイ430を設置および／または取り外すためにツールを用いることにより、手を用いる必要がなくなる。追加的または代替的に、いくつかの実施形態において、前記1つまたは複数のタブ431が、トレイ430に支持を提供するよう、かつ／または、植物ホルダーの口部に対しておよび／もしくはプランターのボディに対してトレイ430を安定させるよう、構成されてもよい。例えば、リム432に近接した1つまたは複数のタブ431が、口部の縁部に対してトレイ430を安定させてもよい。追加的または代替的に、トレイ430から後方に延在する1つまたは複数のタブ431が、プランターのボディの開口部もしくはくぼみ内にポジショニングされるよう構成されてもよく、または、ボディの側部上にポジショニングされるよう構成されてもよい――例えば、トレイ430が口部内にポジショニングされた時に2つのタブ431の間にボディがポジショニングされるように、2つのタブがポジショニングされてもよい。
【０１５４】
トレイ430は、複数のフィン433と、1つまたは複数の支持部434と、1つまたは複数のブラケット436とを含む。フィン433および支持部434はリム432から下向きの方向に延在してもよい。近接／隣接するフィン（例えば393）および支持部434は、1つまたは複数の排水用スリット438によって分離される。排水用スリット438は開口部439（例えばギャップ）に開口する。例えば、種子ホルダー490がトレイ430にポジショニングされていない時、排水用スリット438は開口部439（例えばギャップ）に開口する。前記1つまたは複数の支持部434は、下向きに延在しかつ種子ホルダー490を支持および／または安定化するよう構成された延在部分（例えば441）を含んでもよい。いくつかの実施形態において、支持部434のうち少なくとも1つが、種子ホルダーの底部から種子ホルダー490を支持するよう構成された底部分（例えば435）を含む。図34E〜34Hを参照しながら説明するように、ブラケット436は種子ホルダー490に対する支持を提供するよう構成される。いくつかの実施形態において、フィン433のうち1つまたは複数が、代わりに支持部434であってもよい。代替的に、他の実施形態において、支持部434のうち1つまたは複数が、代わりにフィン433であってもよい。追加的または代替的に、トレイ430は単一の底部分435を有するものとして示されているが、他の実施形態においてトレイ430が底部分435を有さないかまたは複数の底部分435――例えば、複数の底部分、特定の支持部、および／または、底部分を伴う複数の支持部――を有してもよい。
【０１５５】
図34E〜34Hを参照すると、トレイ430が種子ホルダー490（例えばプラグ）とともに示されている。種子ホルダー490は、上面492と、1つまたは複数の側面494と、底面498とを含む。加えて、種子ホルダー490は、1つまたは複数の種子を保持するよう構成されたキャビティなど、キャビティ496を画成する。前記1つまたは複数の側壁494は、支持部434のうち1つまたは複数と接触するよう構成される。底面は底部分435と接触するよう構成される。種子ホルダー490は、逆さピラミッド形状を有するものとして示されているが、そうした形状に限定されるわけではなく、円錐など他の形状を有してもよい。
【０１５６】
図35に、本開示のさらなる局面に基づくプランター340（例えばプランターアセンブリ）を示す。プランターアセンブリ500は、少なくともプランタータワー50またはプランター10、110、250、310を含むかまたはこれに対応してもよい。この例において、プランタータワー420は、プランターアセンブリ500の側部から延在する、植物ホルダー316、318などの植物ホルダーを有するよう構成されたプランター310を含む。図34に見られるように、植物ホルダー316、318は、プランタータワー（例えば500）の長さにわたって互いに反対側に交互に間隔を空けて配される。
【０１５７】
図35を参照すると、プランター（例えば10、50、110、310、420）内に挿入されているトレイ（例えばトレイ200、トレイ380、トレイ390、またはトレイ430）の例が示されている。例えば、第一トレイ380は植物ホルダー316内に挿入されるよう構成され、そして第二トレイ（例えば390または430）は植物ホルダー318内に挿入されるよう構成される。マウント用ブラケット400がプランター500に連結されてもよく、かつ垂直にアライメントされるようポジショニングされてもよい。気体チューブなどの導管（図示せず）がマウント用ブラケットに連結されてもよい。
【０１５８】
上述の明細書および例は、例示的態様の構造および使用の完全な説明を提供する。ある程度の具体性を伴って、または1つもしくは複数の個々の態様を参照しながら、特定の態様を上述したが、当業者は、本開示の範囲から逸脱することなく、開示態様に対する多数の変更を行えるであろう。そうであるから、本発明の方法およびシステムのさまざまな例示的態様が、開示される具体的形態に限定されるとは意図されていない。むしろ、それらは特許請求の範囲に入るすべての改変および変更を含むのであり、本開示に示した以外の態様が、本開示に描写された態様の特徴のいくつかまたはすべてを含む可能性もある。例えば、要素が省略されるかもしくは単位構造として組み合わせられてもよく、接続が置換されてもよく、またはその両方が行われてもよい。さらに、適切な場合には、比較可能なもしくは異なる特性および／または機能を有するさらなる例を形成して、同じまたは異なる問題に対処するため、上述のいずれかの例の諸局面が、説明した他のいずれかの例の諸局面と組み合わせられてもよい。同様に、上述の恩典および利点が、1つの態様に関してもよいこと、または複数の態様に関してもよいことが、理解されるであろう。したがって、本明細書に説明するいかなる実施形態も限定的なものとして解釈されるべきでなく、そして、本開示の実施形態は本開示の教示から逸脱することなく好適に組み合わせられてもよい。
【０１５９】
特許請求の範囲は、手段プラス機能（means-plus-function）または段階プラス機能（step-plus-function）の限定を含むとは意図されておらず、そうした限定がそれぞれ「〜のための手段（means for）」または「〜のための段階（step for）」という句を用いて所与の請求項において明示的に具陳されているのでない限り、そうした限定を含むものとして解釈されるべきでない。
【図１】
2021529561.tif 000004
【図２】
2021529561.tif 000005
【図３】
2021529561.tif 000006
【図４】
2021529561.tif 000007
【図５】
2021529561.tif 000008
【図６】
2021529561.tif 000009
【図７】
2021529561.tif 000010
【図８】
2021529561.tif 000011
【図９】
2021529561.tif 000012
【図１０】
2021529561.tif 000013
【図１１】
2021529561.tif 000014
【図１２】
2021529561.tif 000015
【図１３−１】
2021529561.tif 000016
【図１３−２】
2021529561.tif 000017
【図１３−３】
2021529561.tif 000018
【図１４】
2021529561.tif 000019
【図１５】
2021529561.tif 000020
【図１６Ａ】
2021529561.tif 000021
【図１６Ｂ】
2021529561.tif 000022
【図１６Ｃ】
2021529561.tif 000023
【図１６Ｄ】
2021529561.tif 000024
【図１６Ｅ】
2021529561.tif 000025
【図１７】
2021529561.tif 000026
【図１８】
2021529561.tif 000027
【図１９】
2021529561.tif 000028
【図２０】
2021529561.tif 000029
【図２１】
2021529561.tif 000030
【図２２】
2021529561.tif 000031
【図２３】
2021529561.tif 000032
【図２４】
2021529561.tif 000033
【図２５】
2021529561.tif 000034
【図２６】
2021529561.tif 000035
【図２７】
2021529561.tif 000036
【図２８】
2021529561.tif 000037
【図２９】
2021529561.tif 000038
【図３０】
2021529561.tif 000039
【図３１】
2021529561.tif 000040
【図３２】
2021529561.tif 000041
【図３３】
2021529561.tif 000042
【図３４Ａ】
2021529561.tif 000043
【図３４Ｂ】
2021529561.tif 000044
【図３４Ｃ】
2021529561.tif 000045
【図３４Ｄ】
2021529561.tif 000046
【図３４Ｅ】
2021529561.tif 000047
【図３４Ｆ】
2021529561.tif 000048
【図３４Ｇ】
2021529561.tif 000049
【図３４Ｈ】
2021529561.tif 000050
【図３５】
2021529561.tif 000051
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
少なくとも2つの縦長延在液体チャネルを画成する縦長ボディであって、該縦長ボディに導管を連結することを可能にするよう構成されたマウント可能ブラケットに取り外し可能に連結されるよう構成された1つまたは複数のマウント用ポートを含む、縦長ボディと；
前記ボディに画成され、該縦長ボディの外周上に間隔を空けて配された少なくとも2つの植物ホルダーであって、その各々が、該少なくとも2つの縦長延在液体チャネルのうち1つと流体連絡している、少なくとも2つの植物ホルダーと
を含む、プランター。
【請求項２】
前記少なくとも2つの植物ホルダーが、
前記ボディに画成され、その各々が、該少なくとも2つの縦長延在液体チャネルのうち1つと流体連絡している、少なくとも3つの植物ホルダー
を含む、請求項1記載のプランター。
【請求項３】
前記少なくとも3つの植物ホルダーのうちの第一植物ホルダーが、前記少なくとも2つの縦長延在液体チャネルのうちの第一の縦長延在液体チャネルと流体連絡しており；かつ
該少なくとも3つの植物ホルダーのうちの第二植物ホルダーが、該少なくとも2つの縦長延在液体チャネルのうちの第二の縦長延在液体チャネルと流体連絡しており；かつ
任意で、該少なくとも3つの植物ホルダーのうちの第三植物ホルダー、該少なくとも3つの植物ホルダーのうちの第四植物ホルダー、該少なくとも3つの植物ホルダーのうちの第五植物ホルダー、該少なくとも3つの植物ホルダーのうちの第六植物ホルダー、またはそれらの組み合わせをさらに含む、
請求項2記載のプランター。
【請求項４】
縦長ボディが、前記少なくとも2つの縦長延在液体チャネルを画成するため内部で分割された縦長導管を含み；
該縦長ボディが、第一植物ホルダーと関連付けられたインレットと、該インレットの下方に設けられたアウトレットとを有する、オーバーフロー導管をさらに画成し；
該オーバーフロー導管が、前記少なくとも2つの縦長延在液体チャネルとは異なり；かつ／または
前記少なくとも2つの植物ホルダーが、該縦長ボディの互いに反対側に位置する、
請求項2〜3のいずれか一項記載のプランター。
【請求項５】
各植物ホルダーが、それに対応する液体チャネルと流体連絡しているインレット開口部およびアウトレット開口部を含み；
該インレット開口部を通って該植物ホルダーに入る液流と該アウトレット開口部を通って該植物ホルダーから出る液流とが重力によって生じるよう、該インレット開口部が該アウトレット開口部より上方に位置し；かつ
該インレット開口部の長さに少なくとも部分的に沿って延在し、かつ液体の流れを妨害するよう構成されたリッジが、該インレット開口部に近接してポジショニングされている、
請求項2〜4のいずれか一項記載のプランター。
【請求項６】
前記少なくとも2つの植物ホルダーが、縦長ボディの長さにわたって互いに反対側に交互に間隔を空けて配され、該植物ホルダーの各々が、縦長延在液体チャネルのうちの異なる1つと流体連絡している、請求項2〜5のいずれか一項記載のプランター。
【請求項７】
縦長ボディが、該縦長ボディの端部に接続用構成部を含み、
該接続用構成部が、対応するプランターの対応する接続用構成部内にフィットするよう形状決定および寸法決定され、かつ、
該接続用構成部が、
近接するプランターボディの液体チャネル同士を接続するための液体チャネル接続用構成部；または
近接するプランターボディの気体チャネル同士を接続するための気体チャネル接続用構成部
を含む、
請求項2〜6のいずれか一項記載のプランター。
【請求項８】
マウント用ポートに連結されたマウント用ブラケットであって、該マウント用ポートに係合するよう構成されたポストと、導管を固定するよう構成された1つもしくは複数の連結要素とを含む、マウント用ブラケット；および／または
縦長ボディに連結されかつこれに沿って縦長に延在している導管であって、その長さに沿って間隔を空けて配されたアウトレットを有し、かつ、該縦長ボディの一部分または該1つもしくは複数の連結要素の一部分に係合するよう構成された1つまたは複数の溝を任意で含む、導管
をさらに具備する、請求項2〜6のいずれか一項記載のプランター。
【請求項９】
植物支持体を取り付けるため各植物ホルダーと関連付けられた外部取付用構成部を含み、該取付用構成部が該植物ホルダー口部の下方に位置し、かつ、該植物支持体が、該植物ホルダー内に栽植された匍匐植物が該植物ホルダー口部から生育した時にそれを支持するようにアレンジされた匍匐植物用トレリスの形態である、請求項2〜8のいずれか一項記載のプランター。
【請求項１０】
前記少なくとも2つの植物ホルダーの口部内にフィットするよう形状決定および寸法決定された栽植用インサートを含み、該栽植用インサートが、実生用トレイ、栽植用トレイ、および播種用クリップのうちいずれか1つまたは複数から選択される、請求項2〜9のいずれか一項記載のプランター。
【請求項１１】
実生用トレイが、植物ホルダーの形状に合わせて形状決定された円柱形ボディの形態であり、該植物ホルダーのインレット開口部と位置合わせされたインレット開口部を含み、該実生用トレイから実生を流し出すことなく排液するようにするための排水用スリットを提供するため区画に切り分けられた平面基部を含み、かつ、インレットカバーであって、1つまたは複数のスリット、植物ホルダーのインレット開口部と位置合わせされた開口部、液体ガイド、もしくはそれらの組み合わせを具備するインレットカバーを含む、
請求項10記載のプランター。
【請求項１２】
栽植用インサートのうち特定の栽植用インサートが、
複数のフィン、少なくとも1つのフィンに連結された平面底部、該複数のフィンのうち2つのフィンの間にポジショニングされたスリット、もしくはそれらの組み合わせ；
実生用トレイ内にポジショニングされた種子ホルダー；および
平面底部と少なくとも1つのフィンの端部との間にポジショニングされたチャネル
を含む、
請求項10記載のプランター。
【請求項１３】
播種用クリップが、プランター口部を閉じるための平面ボディを有し、かつ、植物の茎に係合するよう形状決定されたスロットを有する下向きに突出したプレートを備えている、請求項10記載のプランター。
【請求項１４】
プランタータワーの側方から延在する植物ホルダーを伴って、細長の直立プランターを形成するよう互いに接続された複数のプランターであって、該複数のプランターのうち少なくとも1つのプランターが、
縦長ボディに導管を連結することを可能にするよう構成されたマウント可能ブラケットに取り外し可能に連結されるよう構成された1つまたは複数のマウント用ポートを含む、2つの縦長延在液体チャネルの少なくとも一部分を画成する縦長ボディと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備し；
該少なくとも3つの植物ホルダーのうちの第一植物ホルダーが、該少なくとも2つの縦長延在液体チャネルのうちの第一の縦長延在液体チャネルと流体連絡しており；
該少なくとも3つの植物ホルダーのうちの第二植物ホルダーが、該少なくとも2つの縦長延在液体チャネルのうちの第二の縦長延在液体チャネルと流体連絡しており；かつ
該少なくとも3つの植物ホルダーのうちの第三植物ホルダーが、該少なくとも2つの縦長延在液体チャネルのうちの第一または第二の縦長延在液体チャネルと流体連絡している、
複数のプランター
を具備する、プランタータワー。
【請求項１５】
互いに接続された前記複数のプランターの端部に接続するよう形状決定および寸法決定された少なくとも1つの端部部材を含む、請求項14記載のプランタータワー。
【請求項１６】
前記複数のプランターの上端部に接続するための上端部部材と、該複数のプランターの下端部に接続するための下端部部材とである、2つの端部部材を含む、請求項14〜15のいずれか一項記載のプランタータワー。
【請求項１７】
上端部部材が、前記2つの縦長延在液体チャネル内まで液体を導くため、および、前記少なくとも1つの縦長延在気体チャネル内まで気体を導くため、相互接続された複数のプランターの上端部に取り付けられるインテーク用クロージャーの形態であり；かつ
第一端部と、第二端部と、複数のリッジとを具備するタイであって、該複数のリッジのうち第一の配向を有しかつ該第一端部に対応するリッジの第一セットが、該上端部部材の第一開口部に係合するよう構成され、該複数のリッジのうち該第一の配向と異なる第二の配向を有しかつ該第二端部に対応するリッジの第二セットが、該上端部部材の第二開口部に係合するよう構成された、タイが、該上端部部材に連結されるか；または
下端部部材が、前記2つの縦長延在液体チャネルから液体を導くため、および、前記少なくとも1つの縦長延在気体チャネルから気体を導くため、相互接続された複数のプランターの下端部に取り付けられるアウトレット用クロージャーの形態である、
請求項16記載のプランタータワー。
【請求項１８】
平行に間隔を空けた列として配置されたプランタータワーのアレイであって、該列が、インテーク用クロージャーを介して該プランタータワー各々の最上部に接続された最上部液体気体供給ラインを備えており、該列が、アウトレット用クロージャーを介して該プランタータワー各々の最下部に接続された最下部液体気体回収ラインをさらに備えており、該プランタータワーのうち少なくとも１つが、
縦長ボディに導管を連結することを可能にするよう構成されたマウント可能ブラケットに取り外し可能に連結されるよう構成された1つまたは複数のマウント用ポートを含む、2つの縦長延在液体チャネルの少なくとも一部分を画成する縦長ボディと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備するプランターを含み、
該少なくとも3つの植物ホルダーのうちの第一植物ホルダーが、該少なくとも2つの縦長延在液体チャネルのうちの第一の縦長延在液体チャネルと流体連絡しており；
該少なくとも3つの植物ホルダーのうちの第二植物ホルダーが、該少なくとも2つの縦長延在液体チャネルのうちの第二の縦長延在液体チャネルと流体連絡しており；かつ
該少なくとも3つの植物ホルダーのうちの第三植物ホルダーが、該少なくとも2つの縦長延在液体チャネルのうちの第一または第二の縦長延在液体チャネルと流体連絡している、
プランタータワーのアレイと；
該液体供給ラインおよび該液体回収ラインに接続された液体循環システムと；
該気体供給ラインおよび該気体回収ラインに接続された気体循環システムと
を具備する、水耕温室。
【請求項１９】
プランターの気体アウトレットがプランターボディの外側に向けられ、該気体アウトレットが、近接するプランタータワー内の植物に向けられている、請求項18記載の水耕温室。
【請求項２０】
エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうちいずれか1つまたは複数を備えた、部分的に閉じた囲いを含む、請求項18〜19のいずれか一項記載の水耕温室。
【請求項２１】
液体循環システムに栄養素を投入するため、該液体循環システムに接続された栄養素供給用投入ポンプを備えているか、または
該液体循環システム内の液体を濾過するため、該液体循環システムに接続された濾過用設備を備えている、
請求項18〜20のいずれか一項記載の水耕温室。
【請求項２２】
縦長ボディが、前記少なくとも2つの縦長延在液体チャネルを画成するため内部で分割された縦長導管を含む、請求項1記載のプランター。
【請求項２３】
各植物ホルダーが、その中に植物を受けることができるホルダー口部を画成する、請求項1記載のプランター。
【請求項２４】
ホルダー口部が、平たく広がった円柱状楕円形および円柱状円形のうちいずれか1つとして形状決定されている、請求項23記載のプランター。
【請求項２５】
縦長ボディが、該縦長ボディの端部に接続用構成部を含み；
接続用構成部が、対応するプランターの対応する接続用構成部内にフィットするよう形状決定および寸法決定されており；かつ
プランターの縦長ボディの機能的下端部が、該プランターの下方に設置される対応するプランターの縦長ボディの機能的上端部にある対応する接続用構成部内にフィットするための接続用構成部を有し、かつ、該プランターの該縦長ボディの機能的上端部が、該プランターの上方に設置される対応するプランターの縦長ボディの機能的下端部にある対応する接続用構成部内にフィットするための接続用構成部を有する、
請求項1記載のプランター。
【請求項２６】
縦長ボディが、該縦長ボディの端部に接続用構成部を含み；
接続用構成部が、対応するプランターの対応する接続用構成部内にフィットするよう形状決定および寸法決定されており；かつ
接続用構成部が、対応するプランターのスピゴット構成部およびソケット構成部内にそれぞれフィットするよう形状決定および寸法決定されたソケット構成部およびスピゴット構成部の形態である、
請求項1記載のプランター。
【請求項２７】
プランターの縦長ボディの機能的下端部が、該プランターの下方に設置される対応するプランターの縦長ボディの機能的上端部にあるソケット構成部内にフィットするためのスピゴット構成部を有し、かつ、該プランターの該縦長ボディの機能的上端部が、該プランターの上方に設置される対応するプランターの縦長ボディの機能的下端部にあるスピゴット構成部を受けるためのソケット構成部を有する、請求項25記載のプランター。
【請求項２８】
プランターの縦長ボディの機能的下端部が、該プランターの下方に設置される対応するプランターの縦長ボディの機能的上端部にあるスピゴット構成部を受けるためのソケット構成部を有し、かつ、該プランターの該縦長ボディの機能的上端部が、該プランターの上方に設置される対応するプランターの縦長ボディの機能的下端部にあるソケット構成部内にフィットするためのスピゴット構成部を有する、請求項25記載のプランター。
【請求項２９】
その長さに沿って間隔を空けて配された気体アウトレットを有する、少なくとも1つの縦長延在気体チャネルを含む、請求項1記載のプランター。
【請求項３０】
気体アウトレットがプランターボディの外側に開口している、請求項29記載のプランター。
【請求項３１】
気体アウトレットがノズルの形態である、請求項30記載のプランター。
【請求項３２】
接続用構成部が、近接するプランターボディの液体チャネル同士を接続するための液体チャネル接続用構成部を含む、請求項1記載のプランター。
【請求項３３】
接続用構成部が、近接するプランターボディの気体チャネル同士を接続するための気体チャネル接続用構成部を含む、請求項1記載のプランター。
【請求項３４】
植物支持体を取り付けるため各植物ホルダーと関連付けられた外部取付用構成部を含む、請求項1記載のプランター。
【請求項３５】
前記取付用構成部が植物ホルダー口部の下方に位置する、請求項34記載のプランター。
【請求項３６】
前記少なくとも2つの植物ホルダーの口部内にフィットするよう形状決定および寸法決定された栽植用インサートを含み、
栽植用インサートが、実生用トレイ、栽植用トレイ、および播種用クリップのうちいずれか1つまたは複数から選択され、
栽植用トレイが、植物ホルダーの形状に合わせて形状決定された円柱形ボディの形態であり、該植物ホルダーのインレット開口部と位置合わせされたインレット開口部を含み、栽植用トレイから実生を流し出すことなく排液するようにするための排水用スリットを提供するため区画に切り分けられた平面基部を含み、
栽植用トレイの側壁の一部分もまた排水用スリットを含む、
請求項1記載のプランター。
【請求項３７】
前記少なくとも2つの植物ホルダーの口部内にフィットするよう形状決定および寸法決定された栽植用インサートを含み、
栽植用インサートが、実生用トレイ、栽植用トレイ、および播種用クリップのうちいずれか1つまたは複数から選択され；
栽植用トレイが、植物ホルダーの形状に合わせて形状決定された円柱形ボディの形態であり、該植物ホルダーのインレット開口部と位置合わせされたインレット開口部を含み、栽植用トレイから実生を流し出すことなく排液するようにするための排水用スリットを提供するため区画に切り分けられた平面基部を含み；かつ
側壁の一部分が基部に向かってわずかにテーパーしている、
請求項1記載のプランター。
【請求項３８】
プランタータワーの側方から延在する植物ホルダーを伴って、細長の直立プランターを形成するよう互いに接続された、請求項1記載の複数のプランター
を含む、プランタータワー。
【請求項３９】
植物ホルダーが、互いに接続された縦長ボディの長さにわたって互いに反対側に交互に間隔を空けて配されている、請求項38記載のプランタータワー。
【請求項４０】
互いに接続された前記複数のプランターの端部に接続するよう形状決定および寸法決定された少なくとも1つの端部部材を含む、請求項38記載のプランタータワー。
【請求項４１】
前記複数のプランターの上端部に接続するための上端部部材と、該複数のプランターの下端部に接続するための下端部部材とである、2つの端部部材を含む、請求項40記載のプランタータワー。
【請求項４２】
前記少なくとも1つの端部部材が、ソケットおよびスピゴットの様式でプランターの縦長ボディの端部上にフィットするよう形状決定されている、請求項40記載のプランタータワー。
【請求項４３】
前記少なくとも1つの端部部材が、縦長延在液体チャネルにマッチするよう位置合わせされたデュアル液体導管を含む、請求項40記載のプランタータワー。
【請求項４４】
前記少なくとも1つの端部部材が、プランターを通って延在する気体チャネルにマッチするよう位置合わせされた気体導管を含む、請求項40記載のプランタータワー。
【請求項４５】
縦長ボディの端部の、マッチしたスピゴット構成部およびソケット構成部上にフィットするよう、ソケット構成部を備えた1つの側部と、スピゴット構成部を備えた1つの側部とである、2つの側部を備えたボディを、前記少なくとも1つの端部部材が含む、請求項42記載のプランタータワー。
【請求項４６】
上端部部材が、前記2つの縦長延在液体チャネル内まで液体を導くため、および、前記少なくとも1つの縦長延在気体チャネル内まで気体を導くため、相互接続された複数のプランターの上端部に取り付けられているインテーク用クロージャーの形態である、請求項41記載のプランタータワー。
【請求項４７】
下端部部材が、前記2つの縦長延在液体チャネルから液体を導くため、および、前記少なくとも1つの縦長延在気体チャネルから気体を導くため、相互接続された複数のプランターの下端部に取り付けられているアウトレット用クロージャーの形態である、請求項41記載のプランタータワー。
【請求項４８】
前記少なくとも1つの端部部材が、溢れた液体を受けるための集水トレイを含む、請求項40記載のプランタータワー。
【請求項４９】
前記液体チャネルが、相互接続されたプランターの長さにわたって延在する、請求項43記載のプランタータワー。
【請求項５０】
各プランターが気体チャネルを含み、該気体チャネルが、相互接続されたプランターの長さにわたって延在する、請求項38記載のプランタータワー。
【請求項５１】
請求項38〜50のいずれか一項記載のプランタータワーのアレイであって、該プランタータワーが、平行に間隔を空けた列として配置され、該列が、インテーク用クロージャーを介して該プランタータワー各々の最上部に接続された最上部液体気体供給ラインを備えており、該列が、アウトレット用クロージャーを介して該プランタータワー各々の最下部に接続された最下部液体気体回収ラインをさらに備えている、プランタータワーのアレイと；
該液体供給ラインおよび該液体回収ラインに接続された液体循環システムと；
該気体供給ラインおよび該気体回収ラインに接続された気体循環システムと
を含む、水耕温室。
【請求項５２】
プランターの気体アウトレットがプランターボディの外側に向けられており、
該気体アウトレットが、植物の葉の上に充分なガス交換を有利に提供するために、近接するプランタータワー内の植物に向けられている、
請求項51記載の水耕温室。
【請求項５３】
エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうちいずれか1つまたは複数を備えた、部分的に閉じた囲いを含む、請求項51記載の水耕温室。
【請求項５４】
液体循環システムに栄養素を投入するため、該液体循環システムに接続された栄養素供給用投入ポンプを備えている、請求項51記載の水耕温室。
【請求項５５】
液体循環システム内の液体を濾過するため、該液体循環システムに接続された濾過用設備を備えている、請求項51記載の水耕温室。
【請求項５６】
本明細書において説明および例証したものと実質的に同様である、請求項1記載のプランター。
【請求項５７】
本明細書において説明および例証したものと実質的に同様である、請求項38記載のプランタータワー。
【請求項５８】
本明細書において説明および例証したものと実質的に同様である、請求項51記載の水耕温室。
【請求項５９】
栽植用トレイが、植物ホルダーの形状に合わせて形状決定された円柱形ボディの形態であり、該植物ホルダーのインレット開口部と位置合わせされたインレット開口部を含み、かつ、栽植用トレイから実生を流し出すことなく排液するようにするための排水用スリットを提供するため区画に切り分けられた平面基部を含む、請求項11記載のプランター。
【請求項６０】
1つまたは複数のマウント用ブラケットのうちの各マウント用ブラケットが、少なくとも2つの植物ホルダーのうちの異なる植物ホルダーに対応する、請求項1または2記載のプランター。
【請求項６１】
1つまたは複数のマウント用ポートが、プランターの第一端部とプランターの第二端部との間にある縦長ボディの第一側部にポジショニングされた複数のマウント用ポートを含む、請求項1または2記載のプランター。
【請求項６２】
複数のマウント用ポートが、マウント用ポートの第一セットを含む、請求項61記載のプランター。
【請求項６３】
複数のマウント用ポートが、マウント用ポートの第二セットを含む、請求項62記載のプランター。
【請求項６４】
マウント用ポートの第一セットが、第一ラインに沿って垂直にアライメントされている、請求項63記載のプランター。
【請求項６５】
マウント用ポートの第二セットが、第二ラインに沿って垂直にアライメントされている、請求項64記載のプランター。
【請求項６６】
第一ラインが第二ラインに対してオフセットされている、請求項65記載のプランター。
【請求項６７】
1つまたは複数のマウント用ポートのうちの少なくとも1つに連結されたマウント用ブラケットをさらに含む、請求項1、2、または60〜65のいずれか一項記載のプランター。
【請求項６８】
マウント用ブラケットが、1つまたは複数のマウント用ポートのうちの1つのポートに係合するよう構成されたポストと、導管を固定するよう構成された1つまたは複数の連結要素を含む、請求項67記載のプランター。
【請求項６９】
縦長ボディに連結されかつそれに沿って縦長に延在している導管をさらに含み、該導管が、その長さに沿って間隔を空けて配されたアウトレットを有し、該導管が、縦長ボディの一部分または前記1つまたは複数の連結要素の一部分に係合するように構成された1つまたは複数の溝を任意で含む、請求項68記載のプランター。
【請求項７０】
1つまたは複数の連結要素がクリップを含み、該クリップが第一アームと第二アームを含み、第一アームと第二アームが開口部を画成している、請求項68記載のプランター。
【請求項７１】
導管が、前記開口部を介してマウント用ブラケットに連結されるおよびそれから分離されるよう構成されている、請求項70記載のプランター。
【手続補正２】
【補正対象書類名】明細書
【補正対象項目名】００５３
【補正方法】変更
【補正の内容】
【００５３】
諸態様と関連付けられた一部の詳細は上述され、他の詳細は後述されている。本開示の他の実施形態、利点、および特徴は、図面の簡単な説明、詳細な説明、および特許請求の範囲という各セクションを含む、本出願全体を検討した後に明らかになるであろう。
[本発明1001]
少なくとも2つの縦長延在液体チャネルを画成する縦長ボディであって、該縦長ボディに導管を連結することを可能にするよう構成された1つまたは複数のマウント用ポートを含む、縦長ボディングと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備する、プランター。
[本発明1002]
前記少なくとも2つの植物ホルダーのうちの第一植物ホルダーが、前記少なくとも2つの縦長延在液体チャネルのうちの第一の縦長延在液体チャネルと流体連絡しており；かつ
該少なくとも2つの植物ホルダーのうちの第二植物ホルダーが、該少なくとも2つの縦長延在液体チャネルのうちの第二の縦長延在液体チャネルと流体連絡しており；かつ
任意で、該少なくとも2つの植物ホルダーのうちの第三植物ホルダー、該少なくとも2つの植物ホルダーのうちの第四植物ホルダー、該少なくとも2つの植物ホルダーのうちの第五植物ホルダー、該少なくとも2つの植物ホルダーのうちの第六植物ホルダー、またはそれらの組み合わせ、
本発明1001のプランター。
[本発明1003]
縦長ボディが、前記少なくとも2つの縦長延在液体チャネルを画成するため内部で分割された縦長導管を含み；
該縦長ボディが、第一植物ホルダーと関連付けられたインレットと、該インレットの下方に設けられたアウトレットとを有する、オーバーフロー導管をさらに画成し；かつ／または
前記少なくとも2つの植物ホルダーが、該縦長ボディの互いに反対側に位置する、
本発明1001〜1002のいずれかのプランター。
[本発明1004]
各植物ホルダーが、それに対応する液体チャネルと流体連絡しているインレット開口部およびアウトレット開口部を含み；
該インレット開口部を通って該植物ホルダーに入る液流と該アウトレット開口部を通って該植物ホルダーから出る液流とが重力によって生じるよう、該インレット開口部が該アウトレット開口部より上方に位置し；かつ
任意で、該インレット開口部の長さに少なくとも部分的に沿って延在するリッジが、該インレット開口部に近接してポジショニングされている、
本発明1001〜1003のいずれかのプランター。
[本発明1005]
前記少なくとも2つの植物ホルダーが、縦長ボディの長さにわたって互いに反対側に交互に間隔を空けて配され、該植物ホルダーの各々が、縦長延在液体チャネルのうちの異なる1つと流体連絡している、本発明1001〜1004のいずれかのプランター。
[本発明1006]
縦長ボディが、該縦長ボディの端部に接続用構成部を含み、
該接続用構成部が、対応するプランターの対応する接続用構成部内にフィットするよう形状決定および寸法決定され、かつ、
該接続用構成部が、
近接するプランターボディの液体チャネル同士を接続するための液体チャネル接続用構成部；または
近接するプランターボディの気体チャネル同士を接続するための気体チャネル接続用構成部
を含む、
本発明1001〜1005のいずれかのプランター。
[本発明1007]
マウント用ポートに連結されたマウント用ブラケットであって、該マウント用ポートに係合するよう構成されたポストと、導管を固定するよう構成された1つもしくは複数の連結要素とを含む、マウント用ブラケット；および／または
縦長ボディに連結されかつこれに沿って縦長に延在している導管であって、その長さに沿って間隔を空けて配されたアウトレットを有し、かつ、該縦長ボディの一部分または該1つもしくは複数の連結要素の一部分に係合するよう構成された1つまたは複数の溝を任意で含む、導管
をさらに具備する、本発明1001〜1005のいずれかのプランター。
[本発明1008]
植物支持体を取り付けるため各植物ホルダーと関連付けられた外部取付用構成部を含み、該取付用構成部が該植物ホルダー口部の下方に位置し、かつ、該植物支持体が、該植物ホルダー内に栽植された匍匐植物が該植物ホルダー口部から生育した時にそれを支持するようにアレンジされた匍匐植物用トレリスの形態である、本発明1001〜1007のいずれかのプランター。
[本発明1009]
前記少なくとも2つの植物ホルダーの口部内にフィットするよう形状決定および寸法決定された栽植用インサートを含み、該栽植用インサートが、実生用トレイ、栽植用トレイ、および播種用クリップのうちいずれか1つまたは複数から選択される、本発明1001〜1008のいずれかのプランター。
[本発明1010]
実生用トレイが、植物ホルダーの形状に合わせて形状決定された円柱形ボディの形態であり、該植物ホルダーのインレット開口部と位置合わせされたインレット開口部を含み、該実生用トレイから実生を流し出すことなく排液するようにするための排水用スリットを提供するため区画に切り分けられた平面基部を含み、かつ任意で、インレットカバーであって、1つまたは複数のスリット、植物ホルダーのインレット開口部と位置合わせされた開口部、液体ガイド、もしくはそれらの組み合わせを具備するインレットカバーを含み；かつ／または
栽植用トレイが、該植物ホルダーの形状に合わせて形状決定された円柱形ボディの形態であり、該植物ホルダーの該インレット開口部と位置合わせされたインレット開口部を含み、該実生用トレイから実生を流し出すことなく排液するようにするための排水用スリットを提供するため区画に切り分けられた平面基部を含む、
本発明1009のプランター。
[本発明1011]
栽植用インサートのうち特定の栽植用インサートが、
複数のフィン、少なくとも1つのフィンに連結された平面底部、該複数のフィンのうち2つのフィンの間にポジショニングされたスリット、もしくはそれらの組み合わせ；
任意で、実生用トレイ内にポジショニングされた種子ホルダー；および
任意で、平面底部と少なくとも1つのフィンの端部との間にポジショニングされたチャネル
を含む、
本発明1009のプランター。
[本発明1012]
播種用クリップが、プランター口部を閉じるための平面ボディを有し、かつ、植物の茎に係合するよう形状決定されたスロットを有する下向きに突出したプレートを備えている、本発明1009のプランター。
[本発明1013]
プランタータワーの側方から延在する植物ホルダーを伴って、細長の直立プランターを形成するよう互いに接続された複数のプランターであって、該複数のプランターのうち少なくとも1つのプランターが、
2つの縦長延在液体チャネルの少なくとも一部分を画成する縦長ボディと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備し；
該少なくとも3つの植物ホルダーのうちの第一植物ホルダーが、該少なくとも2つの縦長延在液体チャネルのうちの第一の縦長延在液体チャネルと流体連絡しており；
該少なくとも3つの植物ホルダーのうちの第二植物ホルダーが、該少なくとも2つの縦長延在液体チャネルのうちの第二の縦長延在液体チャネルと流体連絡しており；かつ
該少なくとも3つの植物ホルダーのうちの第三植物ホルダーが、該少なくとも2つの縦長延在液体チャネルのうちの第一または第二の縦長延在液体チャネルと流体連絡している、複数のプランター
を具備する、プランタータワー。
[本発明1014]
互いに接続された前記複数のプランターの端部に接続するよう形状決定および寸法決定された少なくとも1つの端部部材を含む、本発明1013のプランタータワー。
[本発明1015]
前記複数のプランターの上端部に接続するための上端部部材と、該複数のプランターの下端部に接続するための下端部部材とである、2つの端部部材を含む、本発明1013〜1014のいずれかのプランタータワー。
[本発明1016]
上端部部材が、前記2つの縦長延在液体チャネル内まで液体を導くため、および、前記少なくとも1つの縦長延在気体チャネル内まで気体を導くため、相互接続された複数のプランターの上端部に取り付けられているインテーク用クロージャーの形態であり；かつ
第一端部と、第二端部と、複数のリッジとを具備するタイであって、該複数のリッジのうち第一の配向を有しかつ該第一端部に対応するリッジの第一セットが、該上端部部材の第一開口部に係合するよう構成され、該複数のリッジのうち該第一の配向と異なる第二の配向を有しかつ該第二端部に対応するリッジの第二セットが、該上端部部材の第二開口部に係合するよう構成された、タイが、該上端部部材に連結されるか；または
下端部部材が、前記2つの縦長延在液体チャネルから液体を導くため、および、前記少なくとも1つの縦長延在気体チャネルから気体を導くため、相互接続された複数のプランターの下端部に取り付けられているアウトレット用クロージャーの形態である、
本発明1015のプランタータワー。
[本発明1017]
平行に間隔を空けた列として配置されたプランタータワーのアレイであって、該列が、インテーク用クロージャーを介して該プランタータワー各々の最上部に接続された最上部液体気体供給ラインを備えており、該列が、アウトレット用クロージャーを介して該プランタータワー各々の最下部に接続された最下部液体気体回収ラインをさらに備えており、該植物タワーのうち少なくとも1つが、
2つの縦長延在液体チャネルの少なくとも一部分を画成する縦長ボディと；
該ボディに画成され、該縦長ボディの外周上に間隔を空けて配された少なくとも3つの植物ホルダーであって、その各々が、該少なくとも2つの縦長延在液体チャネルのうち1つと流体連絡している、少なくとも3つの植物ホルダーと
を具備するプランターを含み、
該少なくとも3つの植物ホルダーのうちの第一植物ホルダーが、該少なくとも2つの縦長延在液体チャネルのうちの第一の縦長延在液体チャネルと流体連絡しており；
該少なくとも3つの植物ホルダーのうちの第二植物ホルダーが、該少なくとも2つの縦長延在液体チャネルのうちの第二の縦長延在液体チャネルと流体連絡しており；かつ
該少なくとも3つの植物ホルダーのうちの第三植物ホルダーが、該少なくとも2つの縦長延在液体チャネルのうちの第一または第二の縦長延在液体チャネルと流体連絡している、
プランタータワーのアレイと；
該液体供給ラインおよび該液体回収ラインに接続された液体循環システムと；
該気体供給ラインおよび該気体回収ラインに接続された気体循環システムと
を具備する、水耕温室。
[本発明1018]
プランターの気体アウトレットがプランターボディの外側に向けられ、該気体アウトレットが、近接するプランタータワー内の植物に向けられている、本発明1017の水耕温室。
[本発明1019]
エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうちいずれか1つまたは複数を備えた、部分的に閉じた囲いを含む、本発明1017〜1018のいずれかの水耕温室。
[本発明1020]
液体循環システムに栄養素を投入するため、該液体循環システムに接続された栄養素供給用投入ポンプを備えているか、または
該液体循環システム内の液体を濾過するため、該液体循環システムに接続された濾過用設備を備えている、
本発明1017〜1019のいずれかの水耕温室。
[本発明1021]
少なくとも2つの縦長延在液体チャネルを画成する縦長ボディであって、該縦長ボディに導管を連結することを可能にするよう構成された1つまたは複数のマウント用ポートを含む、縦長ボディングと；
前記ボディに画成され、該縦長ボディの外周上に間隔を空けて配された少なくとも2つの植物ホルダーであって、その各々が、該少なくとも2つの縦長延在液体チャネルのうち1つと流体連絡している、少なくとも2つの植物ホルダーと
を含む、プランター。
[本発明1022]
縦長ボディが、前記少なくとも2つの縦長延在液体チャネルを画成するため内部で分割された縦長導管を含む、本発明1021のプランター。
[本発明1023]
各植物ホルダーが、その中に植物を受けることができるホルダー口部を画成する、本発明1021のプランター。
[本発明1024]
ホルダー口部が、平たく広がった円柱状楕円形および円柱状円形のうちいずれか1つとして形状決定されている、本発明1023のプランター。
[本発明1025]
前記少なくとも2つの植物ホルダーが、縦長ボディの互いに反対側に位置する、本発明1021のプランター。
[本発明1026]
前記少なくとも2つの植物ホルダーが、縦長ボディの長さにわたって互いに反対側に交互に間隔を空けて配されている、本発明1021のプランター。
[本発明1027]
植物ホルダーの各々が、縦長延在液体チャネルのうちの異なる1つと流体連絡している、本発明1021のプランター。
[本発明1028]
縦長ボディが、該縦長ボディの端部に接続用構成部を含む、本発明1021のプランター。
[本発明1029]
接続用構成部が、対応するプランターの対応する接続用構成部内にフィットするよう形状決定および寸法決定されている、本発明1028のプランター。
[本発明1030]
プランターの縦長ボディの機能的下端部が、該プランターの下方に設置される対応するプランターの縦長ボディの機能的上端部にある対応する接続用構成部内にフィットするための接続用構成部を有し、かつ、該プランターの該縦長ボディの機能的上端部が、該プランターの上方に設置される対応するプランターの縦長ボディの機能的下端部にある対応する接続用構成部内にフィットするための接続用構成部を有する、本発明1029のプランター。
[本発明1031]
接続用構成部が、対応するプランターのスピゴット構成部およびソケット構成部内にそれぞれフィットするよう形状決定および寸法決定されたソケット構成部およびスピゴット構成部の形態である、本発明1029のプランター。
[本発明1032]
プランターの縦長ボディの機能的下端部が、該プランターの下方に設置される対応するプランターの縦長ボディの機能的上端部にあるソケット構成部内にフィットするためのスピゴット構成部を有し、かつ、該プランターの該縦長ボディの機能的上端部が、該プランターの上方に設置される対応するプランターの縦長ボディの機能的下端部にあるスピゴット構成部を受けるためのソケット構成部を有する、本発明1030のプランター。
[本発明1033]
プランターの縦長ボディの機能的下端部が、該プランターの下方に設置される対応するプランターの縦長ボディの機能的上端部にあるスピゴット構成部を受けるためのソケット構成部を有し、かつ、該プランターの該縦長ボディの機能的上端部が、該プランターの上方に設置される対応するプランターの縦長ボディの機能的下端部にあるソケット構成部内にフィットするためのスピゴット構成部を有する、本発明1030のプランター。
[本発明1034]
各植物ホルダーが、それに対応する液体チャネルと流体連絡しているインレット開口部およびアウトレット開口部を含む、本発明1021のプランター。
[本発明1035]
インレット開口部を通って植物ホルダーに入る液流とアウトレット開口部を通って該植物ホルダーから出る液流とが重力によって生じるよう、該インレット開口部が該アウトレット開口部より上方に位置する、本発明1034のプランター。
[本発明1036]
その長さに沿って間隔を空けて配された気体アウトレットを有する、少なくとも1つの縦長延在気体チャネルを含む、本発明1021のプランター。
[本発明1037]
気体アウトレットがプランターボディの外側に開口している、本発明1036のプランター。
[本発明1038]
気体アウトレットがノズルの形態である、本発明1037のプランター。
[本発明1039]
接続用構成部が、近接するプランターボディの液体チャネル同士を接続するための液体チャネル接続用構成部を含む、本発明1028のプランター。
[本発明1040]
接続用構成部が、近接するプランターボディの気体チャネル同士を接続するための気体チャネル接続用構成部を含む、本発明1028のプランター。
[本発明1041]
植物支持体を取り付けるため各植物ホルダーと関連付けられた外部取付用構成部を含む、本発明1021のプランター。
[本発明1042]
前記取付用構成部が植物ホルダー口部の下方に位置する、本発明1041のプランター。
[本発明1043]
植物支持体が、植物ホルダー内に栽植された匍匐植物が該植物ホルダー口部から生育した時にそれを支持するようにアレンジされた匍匐植物用トレリスの形態である、本発明1041のプランター。
[本発明1044]
前記少なくとも2つの植物ホルダーの口部内にフィットするよう形状決定および寸法決定された栽植用インサートを含む、本発明1021のプランター。
[本発明1045]
栽植用インサートが、実生用トレイ、栽植用トレイ、および播種用クリップのうちいずれか1つまたは複数から選択される、本発明1044のプランター。
[本発明1046]
実生用トレイが、植物ホルダーの形状に合わせて形状決定された円柱形ボディの形態であり、該植物ホルダーのインレット開口部と位置合わせされたインレット開口部を含み、かつ、該実生用トレイから実生を流し出すことなく排液するようにするための排水用スリットを提供するため区画に切り分けられた平面基部を含む、本発明1045のプランター。
[本発明1047]
栽植用トレイが、植物ホルダーの形状に合わせて形状決定された円柱形ボディの形態であり、該植物ホルダーのインレット開口部と位置合わせされたインレット開口部を含み、かつ、実生用トレイから実生を流し出すことなく排液するようにするための排水用スリットを提供するため区画に切り分けられた平面基部を含む、本発明1045のプランター。
[本発明1048]
栽植用トレイの側壁の一部分もまた排水用スリットを含む、本発明1047のプランター。
[本発明1049]
側壁の一部分が基部に向かってわずかにテーパーしている、本発明1047のプランター。
[本発明1050]
播種用クリップが、プランター口部を閉じるための平面ボディを有し、かつ、植物の茎に係合するよう形状決定されたスロットを有する下向きに突出したプレートを備えている、本発明1045のプランター。
[本発明1051]
プランタータワーの側方から延在する植物ホルダーを伴って、細長の直立プランターを形成するよう互いに接続された、本発明1021〜1050のいずれかまたは複数の複数のプランター
を含む、プランタータワー。
[本発明1052]
植物ホルダーが、互いに接続された縦長ボディの長さにわたって互いに反対側に交互に間隔を空けて配されている、本発明1051のプランタータワー。
[本発明1053]
互いに接続された前記複数のプランターの端部に接続するよう形状決定および寸法決定された少なくとも1つの端部部材を含む、本発明1051のプランタータワー。
[本発明1054]
前記複数のプランターの上端部に接続するための上端部部材と、該複数のプランターの下端部に接続するための下端部部材とである、2つの端部部材を含む、本発明1053のプランタータワー。
[本発明1055]
前記少なくとも1つの端部部材が、ソケットおよびスピゴットの様式でプランターの縦長ボディの端部上にフィットするよう形状決定されている、本発明1053のプランタータワー。
[本発明1056]
前記少なくとも1つの端部部材が、縦長延在液体チャネルにマッチするよう位置合わせされたデュアル液体導管を含む、本発明1053のプランタータワー。
[本発明1057]
前記少なくとも1つの端部部材が、プランターを通って延在する気体チャネルにマッチするよう位置合わせされた気体導管を含む、本発明1053のプランタータワー。
[本発明1058]
縦長ボディの端部の、マッチしたスピゴット構成部およびソケット構成部上にフィットするよう、ソケット構成部を備えた1つの側部と、スピゴット構成部を備えた1つの側部とである、2つの側部を備えたボディを、前記少なくとも1つの端部部材が含む、本発明1055のプランタータワー。
[本発明1059]
上端部部材が、前記2つの縦長延在液体チャネル内まで液体を導くため、および、前記少なくとも1つの縦長延在気体チャネル内まで気体を導くため、相互接続された複数のプランターの上端部に取り付けられているインテーク用クロージャーの形態である、本発明1054のプランタータワー。
[本発明1060]
下端部部材が、前記2つの縦長延在液体チャネルから液体を導くため、および、前記少なくとも1つの縦長延在気体チャネルから気体を導くため、相互接続された複数のプランターの下端部に取り付けられているアウトレット用クロージャーの形態である、本発明1054のプランタータワー。
[本発明1061]
前記少なくとも1つの端部部材が、溢れた液体を受けるための集水トレイを含む、本発明1053のプランタータワー。
[本発明1062]
前記液体チャネルが、相互接続されたプランターの長さにわたって延在する、本発明1056のプランタータワー。
[本発明1063]
各プランターが気体チャネルを含み、該気体チャネルが、相互接続されたプランターの長さにわたって延在する、本発明1051のプランタータワー。
[本発明1064]
本発明1051〜1063のいずれかまたは複数のプランタータワーのアレイであって、該プランタータワーが、平行に間隔を空けた列として配置され、該列が、インテーク用クロージャーを介して該プランタータワー各々の最上部に接続された最上部液体気体供給ラインを備えており、該列が、アウトレット用クロージャーを介して該プランタータワー各々の最下部に接続された最下部液体気体回収ラインをさらに備えている、プランタータワーのアレイと；
該液体供給ラインおよび該液体回収ラインに接続された液体循環システムと；
該気体供給ラインおよび該気体回収ラインに接続された気体循環システムと
を含む、水耕温室。
[本発明1065]
プランターの気体アウトレットがプランターボディの外側に向けられており、
該気体アウトレットが、植物の葉の上に充分なガス交換を有利に提供するために、近接するプランタータワー内の植物に向けられている、
本発明1064の水耕温室。
[本発明1066]
エアコンディショナー、高圧ファン、ダンパー、液体または気体を液体回収ラインから液体供給ラインまたは代替的に気体供給ラインまで再循環させるためのコイル式冷却器、地熱式加温器／冷却器、ヒートポンプ、湿度コントローラ、および赤外線コントローラのうちいずれか1つまたは複数を備えた、部分的に閉じた囲いを含む、本発明1064の水耕温室。
[本発明1067]
液体循環システムに栄養素を投入するため、該液体循環システムに接続された栄養素供給用投入ポンプを備えている、本発明1064の水耕温室。
[本発明1068]
液体循環システム内の液体を濾過するため、該液体循環システムに接続された濾過用設備を備えている、本発明1064の水耕温室。
[本発明1069]
本明細書において説明および例証したものと実質的に同様である、本発明1021のプランター。
[本発明1070]
本明細書において説明および例証したものと実質的に同様である、本発明1051のプランタータワー。
[本発明1071]
本明細書において説明および例証したものと実質的に同様である、本発明1064の水耕温室。
【国際調査報告】
2021529561.tif 000052
2021529561.tif 000053